(57)【要約】  本発明は、通信技術の分野に関連し、特に、モビリティ管理方法、装置、及びシステムに関する。本発明の実施形態は、前記モビリティ管理方法、装置、及びシステムを提供する。ユーザ装置のプライマリセルが変更された場合、前記プライマリセルの変更が、従来のハンドオーバを通じてではなく、修正を通じて実行されるので、前記プライマリセルが変更されたときにデータ伝送が中断されず、これにより、遅延に敏感なサービスのサービス経験が効果的に改善する。
2019510445.tif 000002
【特許請求の範囲】
【請求項１】
モビリティ管理方法であって、前記方法は、
ユーザ装置ＵＥにより、ＰＣｅｌｌの変更を示すために使用されるメッセージを、第１基地局から受信するステップであって、前記第１基地局は、前記ＵＥのソースプライマリセル（ＰＣｅｌｌ）が属する基地局であり、ＰＣｅｌｌの変更を示すために使用される前記メッセージは、ターゲットＰＣｅｌｌに関する情報を搬送する、ステップと、
ＰＣｅｌｌの変更を示すために使用される前記受信したメッセージに基づいてＰＣｅｌｌの変更を前記ＵＥにより実行するステップであって、前記ＰＣｅｌｌの変更は、前記ターゲットＰＣｅｌｌを前記ＵＥのＰＣｅｌｌに変更することと、前記ソースＰＣｅｌｌを前記ＵＥの、アクティブ状態にあるセカンダリセル（ＳＣｅｌｌ）に変更することとを具備し、前記ＰＣｅｌｌの変更の間、前記ＵＥは、前記ソースＰＣｅｌｌ及び前記ターゲットＰＣｅｌｌとのデータ伝送を継続する、ステップと、
ＰＣｅｌｌの変更完了を示すために使用されるメッセージを、前記ＵＥにより、前記第１基地局又は第２基地局に送信するステップであって、前記第２基地局は、前記ターゲットＰＣｅｌｌが属する基地局である、ステップと、
ことを特徴とするモビリティ管理方法。
【請求項２】
前記ＰＣｅｌｌの変更は、
前記ＵＥにより、前記ターゲットＰＣｅｌｌは、前記ＵＥのサービングセルではないことを決定するステップと、
前記ＵＥにより、前記ターゲットＰＣｅｌｌを、前記ＵＥの前記ＳＣｅｌｌとして追加するステップと、
前記ＵＥにより、前記ＰＣｅｌｌの変更を実行するステップであって、前記ＰＣｅｌｌの変更は、前記ターゲットＰＣｅｌｌを前記ＵＥの前記ＰＣｅｌｌに変更するステップと、前記ソースＰＣｅｌｌを、前記ＵＥの、前記アクティブ状態にある前記セカンダリセルＳＣｅｌｌに変更するステップと、を具備する、ステップと、
をさらに具備することを特徴とする請求項１に記載のモビリティ管理方法。
【請求項３】
ＰＣｅｌｌの変更を示すために使用される前記メッセージは、ＰＣｅｌｌの変更メッセージ、又はＰＣｅｌｌの変更インジケーションを搬送するＲＲＣ接続再構成メッセージであることを特徴とする請求項１又は２に記載のモビリティ管理方法。
【請求項４】
ＰＣｅｌｌの変更完了を示すために使用される前記メッセージは、ＰＣｅｌｌの変更の完了メッセージ又はＲＲＣ接続再構成完了メッセージであることを特徴とする請求項１から３のいずれか一項に記載のモビリティ管理方法。
【請求項５】
前記ＰＣｅｌｌの変更は、前記ＵＥのデータベアラのメディアアクセス制御（ＭＡＣ）レイヤをリセットすることをスキップするステップ、前記ＵＥの前記データベアラの無線リンク制御（ＲＬＣ）レイヤを再構成することをスキップするステップ、及び前記ＵＥの前記データベアラのパケットデータコンバージェンスプロトコル（ＰＤＣＰ）レイヤを再構成することをスキップするステップをさらに具備することを特徴とする請求項１から４のいずれか一項に記載のモビリティ管理方法。
【請求項６】
前記ＰＣｅｌｌの変更は、前記ＰＣｅｌｌの変更の間及びその後に、前記ＵＥが各サービング基地局と通信するために使用される鍵及びセキュリティアルゴリズムが変更されないように維持するステップをさらに具備し、
前記サービング基地局は、前記ＵＥと無線エアインターフェース接続を確立する少なくとも１つのセルにサービングする基地局であることを特徴とする請求項１から５のいずれか一項に記載のモビリティ管理方法。
【請求項７】
前記ＰＣｅｌｌの変更は、
前記ソースＰＣｅｌｌと前記ターゲットＰＣｅｌｌが同じ基地局に属していないことを前記ＵＥが決定するステップと、
前記ＵＥにより、前記第１基地局をセカンダリｅＮｏｄｅＢ（ＳｅＮＢ）として使用するステップ、及び前記第２基地局をマスターｅＮｏｄｅＢ（ＭｅＮＢ）として使用するステップと、
をさらに具備することを特徴とする請求項１から６のいずれか一項に記載のモビリティ管理方法。
【請求項８】
前記ＰＣｅｌｌの変更は、前記ソースＰＣｅｌｌ及び前記ターゲットＰＣｅｌｌが同じ基地局に属していることを前記ＵＥが決定するステップと、
前記ＵＥのシグナリングベアラのＭＡＣレイヤをリセットすることをスキップするステップ、前記ＵＥの前記シグナリングベアラのＲＬＣレイヤを再構成することをスキップするステップ、及び前記ＵＥの前記シグナリングベアラのＰＤＣＰレイヤを再構成することをスキップするステップと、
をさらに具備することを特徴とする請求項１から７のいずれか一項に記載のモビリティ管理方法。
【請求項９】
前記ＰＣｅｌｌの変更は、前記ＰＣｅｌｌの変更の前に、前記ターゲットＰＣｅｌｌのタイミングアドバンス（ＴＡ）値の使用を続けることにより、前記ＰＣｅｌｌの変更の間及び／又は変更後に、前記ＵＥにより、前記ターゲットＰＣｅｌｌと通信するステップをさらに具備することを特徴とする請求項１から８のいずれか一項に記載のモビリティ管理方法。
【請求項１０】
前記ＰＣｅｌｌの変更は、前記ＰＣｅｌｌの変更の間及び／又は変更後に、前記ソースＰＣｅｌｌと前記ターゲットＰＣｅｌｌ以外の別のサービングセルのアクティブ／インアクティブ状態が変更されないように維持するステップをさらに具備することを特徴とする請求項１から９のいずれか一項に記載のモビリティ管理方法。
【請求項１１】
モビリティ管理方法であって、前記方法は、
第１基地局により、ユーザ装置ＵＥのプライマリセルＰＣｅｌｌの変更を実行することを決定し、ターゲットＰＣｅｌｌを決定するステップであって、前記第１基地局は、前記ＵＥのソースＰＣｅｌｌが属する基地局である、ステップと、
前記第１基地局により、ＰＣｅｌｌの変更を示すために使用されるメッセージを前記ＵＥに送信するステップであって、ＰＣｅｌｌの変更を示すために使用される前記メッセージは、ターゲットＰＣｅｌｌに関する情報を搬送し、前記ＰＣｅｌｌの変更は、前記ターゲットＰＣｅｌｌを前記ＵＥのＰＣｅｌｌに変更するステップと、前記ソースＰＣｅｌｌを前記ＵＥの、アクティブ状態にあるセカンダリセルＳＣｅｌｌに変更するステップと、を具備する、ステップと、
ことを特徴とするモビリティ管理方法。
【請求項１２】
ＰＣｅｌｌの変更を示すために使用される前記メッセージは、ＰＣｅｌｌの変更メッセージ、又はＰＣｅｌｌの変更インジケーションを搬送する無線リソース制御（ＲＲＣ）接続再構成メッセージであることを特徴とする請求項１１に記載のモビリティ管理方法。
【請求項１３】
前記ＰＣｅｌｌの変更は、前記ＰＣｅｌｌの変更の間及びその後に、前記第１基地局により使用される鍵及びセキュリティアルゴリズムが変更されないように維持するステップをさらに具備することを特徴とする請求項１１又は１２に記載のモビリティ管理方法。
【請求項１４】
前記ＰＣｅｌｌの変更は、ＰＣｅｌｌの変更完了を示すために使用されるメッセージを前記ＵＥから前記第１基地局により受信するステップをさらに具備することを特徴とする請求項１１から１３のいずれか一項に記載のモビリティ管理方法。
【請求項１５】
ＰＣｅｌｌの変更完了を示すために使用される前記メッセージは、ＰＣｅｌｌの変更の完了メッセージ又はＲＲＣ接続再構成完了メッセージであることを特徴とする請求項１４に記載のモビリティ管理方法。
【請求項１６】
前記ＰＣｅｌｌの変更は、
前記第１基地局により、ＰＣｅｌｌの変更を示すために使用される要求メッセージを第２基地局に送信するステップであって、前記第２基地局は、前記ＵＥの前記ターゲットＰＣｅｌｌが属する基地局であり、前記ＰＣｅｌｌの変更を示すために使用される要求メッセージは、前記ターゲットＰＣｅｌｌに関する前記情報を搬送する、ステップと、
前記第２基地局により送信されたアクノリッジメッセージを、前記第１基地局により受信するステップであって、前記アクノリッジメッセージは、ＰＣｅｌｌの変更を示すために使用されるとともに前記第１基地局により前記第２基地局へ送信される前記要求メッセージをアクノリッジするために使用される、ステップと、
前記第１基地局により、ＰＣｅｌｌの変更完了を示すために使用されるメッセージ、又はシーケンス番号（ＳＮ）状態を要求するために使用されるとともに前記第２基地局により送信されるメッセージを受信するステップであって、ＳＮ状態を要求するために使用される前記メッセージは、前記第１基地局から、アップリンク・パケットデータコンバージェンスプロトコル（ＰＤＣＰ）ＳＮ受信状態及びダウンリンクＰＤＣＰ ＳＮ送信状態を要求するために使用される、ステップと、
前記第１基地局によりＳＮ状態遷移メッセージを前記第２基地局に送信するステップであって、前記ＳＮ状態遷移メッセージは、前記アップリンクＰＤＣＰ ＳＮ受信状態及び前記ダウンリンクＰＤＣＰ ＳＮ送信状態を搬送し、前記第１基地局がＰＣｅｌｌの変更完了を示すために使用される前記メッセージ又はＳＮ状態を要求するために使用される前記メッセージを受信した後に、前記ＳＮ状態遷移メッセージが前記第１基地局により送信される、ステップと、
をさらに具備することを特徴とする請求項１１から１３のいずれか一項に記載のモビリティ管理方法。
【請求項１７】
前記ＰＣｅｌｌの変更を示すために使用される要求メッセージは、ＰＣｅｌｌの変更要求メッセージ、又はＰＣｅｌｌの変更インジケーションを搬送するハンドオーバ要求メッセージであることを特徴とする請求項１６に記載のモビリティ管理方法。
【請求項１８】
モビリティ管理方法であって、前記方法は、
第１基地局により送信され、プライマリセル（ＰＣｅｌｌ）の変更を示すために使用される要求メッセージを、第２基地局により受信するステップであって、前記第１基地局は、ユーザ装置（ＵＥ）のソースＰＣｅｌｌが属する基地局であり、前記第２基地局は、前記ＵＥのターゲットＰＣｅｌｌが属する基地局であり、前記ＰＣｅｌｌの変更を示すために使用される要求メッセージは、前記ターゲットＰＣｅｌｌに関する情報を搬送し、前記ＰＣｅｌｌの変更は、前記ターゲットＰＣｅｌｌを前記ＵＥのＰＣｅｌｌに変更するステップと、前記ソースＰＣｅｌｌを前記ＵＥの、アクティブ状態にあるセカンダリセルＳＣｅｌｌに変更するステップと、を具備する、ステップと、
アクノリッジメッセージを前記第１基地局に、前記第２基地局により、送信するステップであって、前記アクノリッジメッセージは、ＰＣｅｌｌの変更を示すために使用されるとともに前記第１基地局により前記第２基地局へ送信される前記要求メッセージをアクノリッジするために使用される、ステップと、
を具備することを特徴とするモビリティ管理方法。
【請求項１９】
前記方法は、
ＰＣｅｌｌの変更完了を示すために使用され、前記ＵＥにより送信されるメッセージを、前記第２基地局により受信するステップと、
ＰＣｅｌｌの変更完了を示すために使用される前記メッセージ、又はシーケンス番号（ＳＮ）状態を要求するために使用されるメッセージを、前記第２基地局により、前記第１基地局に送信するステップであって、ＳＮ状態を要求するために使用される前記メッセージは、前記第１基地局から、アップリンク・パケットデータコンバージェンスプロトコル（ＰＤＣＰ）ＳＮ受信状態及びダウンリンクＰＤＣＰ ＳＮ送信状態を要求するために使用され、前記第２基地局が前記ＵＥからＰＣｅｌｌの変更完了を示すために使用される前記メッセージを受信した後に、前記第２基地局により、ＰＣｅｌｌの変更完了を示すために使用される前記メッセージ又はＳＮ状態を要求するために使用される前記メッセージが送信される、ステップと、
前記第２基地局により、前記第１基地局からＳＮ状態遷移メッセージを受信するステップであって、前記ＳＮ状態遷移メッセージは、前記アップリンクＰＤＣＰ ＳＮ受信状態及び前記ダウンリンクＰＤＣＰ ＳＮ送信状態を搬送する、ステップと、
をさらに具備することを特徴とする請求項１８に記載のモビリティ管理方法。
【請求項２０】
前記ＰＣｅｌｌの変更を示すために使用される要求メッセージは、ＰＣｅｌｌの変更要求メッセージ、又はＰＣｅｌｌの変更インジケーションを搬送するハンドオーバ要求メッセージであることを特徴とする請求項１８又は１９に記載のモビリティ管理方法。
【請求項２１】
前記ＰＣｅｌｌの変更は、前記ＰＣｅｌｌの変更の間及びその後に、前記第２基地局により使用される鍵及びセキュリティアルゴリズムが変更されないように維持することをさらに具備することを特徴とする請求項１８から２０のいずれか一項に記載のモビリティ管理方法。
【請求項２２】
前記アクノリッジメッセージは、Ｓ１経路切り換え後に、前記第１基地局により復号されるとともに前記第１基地局により送信されるアップリンクデータパケットを前記第２基地局に送信するために使用されるスプリットベアラのトンネル情報を搬送し、前記アップリンクデータパケットは、前記第２基地局によりサービングゲートウェイＳ−ＧＷに転送されることを特徴とする請求項１８から２１のいずれか一項に記載のモビリティ管理方法。
【請求項２３】
ユーザ装置（ＵＥ）であって、前記ＵＥは、
第１基地局から、プライマリセル（ＰＣｅｌｌ）の変更を示すために使用されるメッセージを受信するように構成された送受信機であって、前記第１基地局は、前記ＵＥのソースプライマリセル（ＰＣｅｌｌ）が属する基地局であり、ＰＣｅｌｌの変更を示すために使用される前記メッセージは、ターゲットＰＣｅｌｌに関する情報を搬送する、送受信機と、
ＰＣｅｌｌの変更を示すために使用される前記受信したメッセージに基づいて、ＰＣｅｌｌの変更を実行するように構成されているプロセッサであって、前記ＰＣｅｌｌの変更は、前記ターゲットＰＣｅｌｌを前記ＵＥのＰＣｅｌｌに変更するステップと、前記ソースＰＣｅｌｌを前記ＵＥの、アクティブ状態にあるセカンダリセルＳＣｅｌｌに変更するステップと、を具備する、プロセッサと、
を具備し、
前記送受信機は、ＰＣｅｌｌの変更完了を示すために使用されるメッセージを、前記第１基地局又は第２基地局に送信するようにさらに構成されており、前記第２基地局は、前記ターゲットＰＣｅｌｌが属する基地局であることを特徴とするユーザ装置ＵＥ。
【請求項２４】
ＰＣｅｌｌの変更を示すために使用され、前記送受信機により受信される前記メッセージは、ＰＣｅｌｌの変更メッセージ、又はＰＣｅｌｌの変更インジケーションを搬送する無線リソース制御（ＲＲＣ）接続再構成メッセージであることを特徴とする請求項２３に記載のユーザ装置ＵＥ。
【請求項２５】
ＰＣｅｌｌの変更完了を示すために使用され、前記送受信機により送信される前記メッセージは、ＰＣｅｌｌの変更の完了メッセージ又はＲＲＣ接続再構成完了メッセージであることを特徴とする請求項２３又は２４に記載のユーザ装置ＵＥ。
【請求項２６】
前記プロセッサは、前記ＵＥのデータベアラのメディアアクセス制御（ＭＡＣ）レイヤをリセットすることをスキップし、前記ＵＥの前記データベアラの無線リンク制御（ＲＬＣ）レイヤを再構成することをスキップし、前記ＵＥの前記データベアラのパケットデータコンバージェンスプロトコル（ＰＤＣＰ）レイヤを再構成することをスキップするようにさらに構成されていることを特徴とする請求項２３から２５のいずれか一項に記載のユーザ装置ＵＥ。
【請求項２７】
前記プロセッサは、前記ＰＣｅｌｌの変更の間及びその後に、各サービング基地局と通信するために使用される鍵及びセキュリティアルゴリズムが変更されないように維持するようにさらに構成され、前記サービング基地局は、前記ＵＥと無線エアインターフェース接続を確立する少なくとも１つのセルにサービングする基地局であることを特徴とする請求項２３から２６のいずれか一項に記載のユーザ装置ＵＥ。
【請求項２８】
前記プロセッサは、
前記ソースＰＣｅｌｌと前記ターゲットＰＣｅｌｌが同じ基地局に属していないことを決定し、
前記第１基地局をセカンダリｅＮｏｄｅＢ（ＳｅＮＢ）として使用し、前記第２基地局をマスターｅＮｏｄｅＢ（ＭｅＮＢ）として使用する
ようにさらに構成されていることを特徴とする請求項２３から２７のいずれか一項に記載のユーザ装置ＵＥ。
【請求項２９】
前記プロセッサは、
前記ソースＰＣｅｌｌと前記ターゲットＰＣｅｌｌが同じ基地局に属していることを決定し、
前記ＵＥのシグナリングベアラのＭＡＣレイヤをリセットすることをスキップし、前記ＵＥの前記シグナリングベアラのＲＬＣレイヤを再構成することをスキップし、前記ＵＥの前記シグナリングベアラのＰＤＣＰレイヤを再構成することをスキップ
するようにさらに構成されていることを特徴とする請求項２３から２８のいずれか一項に記載のユーザ装置ＵＥ。
【請求項３０】
前記送受信機は、前記ＰＣｅｌｌの変更の間及び／又は変更後に、前記ＰＣｅｌｌの変更の前の前記ターゲットＰＣｅｌｌのタイミングアドバンスＴＡ値の使用を継続することにより、前記ターゲットＰＣｅｌｌと通信するようにさらに構成されていることを特徴とする請求項２３から２９のいずれか一項に記載のユーザ装置ＵＥ。
【請求項３１】
前記プロセッサは、前記ＰＣｅｌｌの変更の間及び／又は変更後に、前記ソースＰＣｅｌｌと前記ターゲットＰＣｅｌｌ以外の別のサービングセルのアクティブ／インアクティブ状態が変更されないように維持するようにさらに構成されていることを特徴とする請求項２３から３０のいずれか一項に記載のユーザ装置ＵＥ。
【請求項３２】
前記プロセッサは、
前記ターゲットＰＣｅｌｌが前記ＵＥのサービングセルではないことを決定することと、
前記ターゲットＰＣｅｌｌを前記ＵＥの前記ＳＣｅｌｌとして追加することと、
前記ＰＣｅｌｌの変更を実行することであって、前記ＰＣｅｌｌの変更は、前記ターゲットＰＣｅｌｌを前記ＵＥの前記ＰＣｅｌｌに変更するステップと、前記ソースＰＣｅｌｌを、前記ＵＥの、前記アクティブ状態にある前記セカンダリセルＳＣｅｌｌに変更するステップと、を具備する、実行することと、
を行うようにさらに構成されていることを特徴とする請求項２３から３１のいずれか一項に記載のユーザ装置ＵＥ。
【請求項３３】
第１基地局であって、前記第１基地局は、ユーザ装置（ＵＥ）のソースＰＣｅｌｌが属する基地局であり、前記第１基地局は、
前記ＵＥのプライマリセルＰＣｅｌｌの変更の実行を決定し、ターゲットＰＣｅｌｌを決定するようにさらに構成されたプロセッサと、
ＰＣｅｌｌの変更を示すために使用されるメッセージを前記ＵＥに送信するように構成された送受信機であって、ＰＣｅｌｌの変更を示すために使用される前記メッセージは、ターゲットＰＣｅｌｌに関する情報を搬送し、前記ＰＣｅｌｌの変更は、前記ターゲットＰＣｅｌｌを前記ＵＥのＰＣｅｌｌに変更するステップと、前記ソースＰＣｅｌｌを前記ＵＥの、アクティブ状態にあるセカンダリセルＳＣｅｌｌに変更するステップと、を具備する、送受信機と、
を具備することを特徴とする第１基地局。
【請求項３４】
ＰＣｅｌｌの変更を示すために使用され、前記送受信機により送信される前記メッセージは、ＰＣｅｌｌの変更メッセージ、又はＰＣｅｌｌの変更インジケーションを搬送する無線リソース制御（ＲＲＣ）接続再構成メッセージであることを特徴とする請求項３３に記載の第１基地局。
【請求項３５】
前記プロセッサは、前記ＵＥからのアップリンクデータを復号し、前記ＵＥに送信されるダウンリンクデータを暗号化し、前記ＰＣｅｌｌの変更の間及びその後に、前記プロセッサにより使用される鍵及びセキュリティアルゴリズムが変更されないように維持するようにさらに構成されていることを特徴とする請求項３３又は３４に記載の第１基地局。
【請求項３６】
前記送受信機は、前記ＵＥから、ＰＣｅｌｌの変更完了を示すために使用されるメッセージを受信するようにさらに構成されていることを特徴とする請求項３３から３５のいずれか一項に記載の第１基地局。
【請求項３７】
ＰＣｅｌｌの変更完了を示すために使用され、前記送受信機により受信される前記メッセージは、ＰＣｅｌｌの変更の完了メッセージ又はＲＲＣ接続再構成完了メッセージであることを特徴とする請求項３６に記載の第１基地局。
【請求項３８】
前記送受信機は、
ＰＣｅｌｌの変更を示すために使用される要求メッセージを第２基地局に送信することであって、前記第２基地局は、前記ＵＥの前記ターゲットＰＣｅｌｌが属する基地局であり、前記ＰＣｅｌｌの変更を示すために使用される要求メッセージは、前記ターゲットＰＣｅｌｌに関する前記情報を搬送する、送信することと、
前記第２基地局により送信されたアクノリッジメッセージを受信することであって、前記アクノリッジメッセージは、ＰＣｅｌｌの変更を示すために使用され、前記第１基地局により前記第２基地局へ送信される前記要求メッセージをアクノリッジするために使用される、受信することと、
ＰＣｅｌｌの変更完了を示すために使用されるメッセージ、又はシーケンス番号（ＳＮ）状態を要求するために使用され、前記第２基地局により送信されるメッセージを受信することであって、ＳＮ状態を要求するために使用される前記メッセージは、前記第１基地局から、アップリンク・パケットデータコンバージェンスプロトコル（ＰＤＣＰ）ＳＮ受信状態及びダウンリンクＰＤＣＰ ＳＮ送信状態を要求するために使用される、受信することと、
ＳＮ状態遷移メッセージを前記第２基地局に送信することであって、前記ＳＮ状態遷移メッセージは、前記アップリンクＰＤＣＰ ＳＮ受信状態及び前記ダウンリンクＰＤＣＰ ＳＮ送信状態を搬送し、前記第１基地局がＰＣｅｌｌの変更完了を示すために使用される前記メッセージ、又はＳＮ状態を要求するために使用される前記メッセージを受信した後に、前記ＳＮ状態遷移メッセージが前記第１基地局により送信される、送信することと、
を行うようにさらに構成されていることを特徴とする請求項３３から３５のいずれか一項に記載の第１基地局。
【請求項３９】
ＰＣｅｌｌの変更を示すために使用され、前記送受信機により送信される前記要求メッセージは、ＰＣｅｌｌの変更要求メッセージ又はＰＣｅｌｌの変更インジケーションを搬送するハンドオーバ要求メッセージであることを特徴とする請求項３８に記載の第１基地局。
【請求項４０】
第２基地局であって、前記第２基地局は、ユーザ装置ＵＥのターゲットＰＣｅｌｌが属する基地局であり、前記第２基地局は、
第１基地局により送信され、プライマリセル（ＰＣｅｌｌ）の変更を示すために使用される要求メッセージを受信するように構成された送受信機であって、前記第１基地局は、ＵＥのソースＰＣｅｌｌが属する基地局であり、前記ＰＣｅｌｌの変更を示すために使用される要求メッセージは、前記ターゲットＰＣｅｌｌに関する情報を搬送し、前記ＰＣｅｌｌの変更は、前記ターゲットＰＣｅｌｌを前記ＵＥのＰＣｅｌｌに変更するステップと、前記ソースＰＣｅｌｌを、前記ＵＥの、アクティブ状態にあるセカンダリセルＳＣｅｌｌに変更するステップと、を具備する、送受信機
を具備し、
前記送受信機は、アクノリッジメッセージを前記第１基地局に送信するようにさらに構成されており、前記アクノリッジメッセージは、ＰＣｅｌｌの変更を示すために使用されるとともに前記第１基地局により前記第２基地局へ送信される前記要求メッセージをアクノリッジするために使用されることを特徴とする第２基地局。
【請求項４１】
前記送受信機は、
ＰＣｅｌｌの変更完了を示すために使用され、前記ＵＥにより送信されるメッセージを受信することと、
ＰＣｅｌｌの変更完了を示すために使用される前記メッセージ、又はシーケンス番号（ＳＮ）状態を要求するために使用されるメッセージを、前記第１基地局に送信することと、ここで、ＳＮ状態を要求するために使用される前記メッセージは、前記第１基地局から、アップリンク・パケットデータコンバージェンスプロトコル（ＰＤＣＰ）ＳＮ受信状態及びダウンリンクＰＤＣＰ ＳＮ送信状態を要求するために使用され、ＰＣｅｌｌの変更完了を示すために使用される前記メッセージ又はＳＮ状態を要求するために使用される前記メッセージは、前記第２基地局の前記送受信機が、前記ＵＥから、ＰＣｅｌｌの変更完了を示すために使用される前記メッセージを受信した後に、前記第２基地局の前記送受信機により送信され、
前記第１基地局からＳＮ状態遷移メッセージを受信することと、ここで、前記メッセージは、前記アップリンクＰＤＣＰ ＳＮ受信状態及び前記ダウンリンクＰＤＣＰ ＳＮ送信状態を搬送する
を行うようにさらに構成されていることを特徴とする請求項４０に記載の第２基地局。
【請求項４２】
ＰＣｅｌｌの変更を示すために使用され、前記送受信機により受信される前記要求メッセージは、ＰＣｅｌｌの変更要求メッセージ又はＰＣｅｌｌの変更インジケーションを搬送するハンドオーバ要求メッセージであることを特徴とする請求項４０又は４１に記載の第２基地局。
【請求項４３】
前記第２基地局は、
前記ＵＥからのアップリンクデータを復号し、前記ＵＥに送信されるダウンリンクデータを暗号化し、前記ＰＣｅｌｌの変更の間及びその後に、プロセッサにより使用される鍵及びセキュリティアルゴリズムが変更されないように維持する
ように構成されているプロセッサをさらに具備することを特徴とする請求項４０から４２のいずれか一項に記載の第２基地局。
【請求項４４】
前記送受信機により送信された前記アクノリッジメッセージは、スプリットベアラのトンネル情報を搬送し、Ｓ１経路切り換え後に、復号されて前記第１基地局により送信されたアップリンクデータパケットを前記第２基地局に送信し、前記アップリンクデータパケットは、前記第２基地局によりサービングゲートウェイＳ−ＧＷに転送されることを特徴とする請求項４０から４３のいずれか一項に記載の第２基地局。
【請求項４５】
通信システムであって、
請求項２３から３２のいずれか一項によるユーザ装置及び請求項３３から３９のいずれか一項による第１基地局、又は
請求項２３から３２のいずれか一項によるユーザ装置、請求項３３から３９のいずれか一項による第１基地局、及び請求項４０から４４のいずれか一項による第２基地局、又は
請求項３３から３９のいずれか一項による第１基地局及び請求項４０から４４のいずれか一項による第２基地局
を具備することを特徴とする通信システム。
【発明の詳細な説明】
【技術分野】
【０００１】
本発明は、無線通信技術の分野に関連し、特にモビリティ管理方法、装置、及びシステムに関する。
【背景技術】
【０００２】
ロングタームエボリューション（Long Term Evolution, 略してLTE）移動通信システムでは、ユーザ装置（User Equipment, 略してUE）の移動に伴い、ネットワークは、ハンドオーバ処理を用いて、ＵＥをソースセルからターゲットセルにハンドオーバし、データ伝送を行う。
【０００３】
ハンドオーバを実行することを決定した後、ソース基地局は、エアインターフェースでＵＥにハンドオーバコマンドを送信する。ここで、メッセージは、移動制御情報要素（mobilityControlInfo）を搬送する無線リソース制御（Radio Resource Control, 略してRRC）接続再構成メッセージであり、ＵＥ上で実行されるアップリンク及びダウンリンクデータ伝送を停止する。ハンドオーバコマンドを受信した後、ＵＥは、ＵＥがハンドオーバするターゲットセルで同期を実行し、ランダムアクセスプロセスを開始してタイミングアドバンス（Timing Advance, 略してTA）値とアップリンクリソースを取得する。ＵＥは、対応するアップリンクリソース上で、ＲＲＣ接続再構成完了メッセージを、ターゲット基地局に送信し、ハンドオーバの完了を示す。ＲＲＣ接続再構成完了メッセージを受信した後、ターゲット基地局は、ＵＥ上で実行されるアップリンク及びダウンリンクデータ伝送を回復する。
【０００４】
上述のハンドオーバ処理に関する説明から、ソース基地局がハンドオーバコマンドをＵＥに送信した時点から、ターゲット基地局がハンドオーバ完了インジケーションを受信する時点までの間、ＵＥで実行されるアップリンク及びダウンリンクデータ伝送が中断することが分かる。これは遅延に敏感なサービスに対するサービス経験に深刻な影響を及ぼし、LTEシステム、特に、モバイルシナリオにおけるアプリケーションでその遅延に敏感なサービスのアプリケーションを大幅に制限する。
【０００５】
移動通信システムの開発に伴い、システムにより提供され得るサービス品質が高まっていく。第３世代パートナーシッププロジェクト（the 3rd Generation Partner Project, 略して3GPP）の長期的な競争力を維持し、システムのスペクトル効率とユーザスループット率をさらに高めるために、ＬＴＥアドバンスト（LTE-Advanced, 略してLTE-A）規格が策定されている。キャリアアグリゲーション（Carrier Aggregation, 略してCA）がLTE-A規格に新技術として導入された。キャリアアグリゲーションとは、ＵＥが複数のセル（キャリア）を同時に使用してアップリンク及びダウンリンク通信を実行でき、これにより高速データ伝送をサポートすることを意味する。複数のセルの内、１つはプライマリセル（Primary Cell, 略してPCell）であり、残りは、セカンダリセル（Secondary Cell, 略してSCell）である。
【０００６】
システムのスペクトル効率及びユーザスループット率をさらに高めるために、3GPPは、デュアルコネクティビティ（Dual Connectivity, 略してDC）技術をLTE-A規格にさらに導入し、すなわち、２つの基地局をサポートしてデータ伝送サービスを１つのＵＥに同時に提供する。ＰＣｅｌｌが属する基地局は、マスターｅＮｏｄｅＢ（Master eNB, 略してMeNB）と称され、他の基地局は、セカンダリｅＮｏｄｅＢ（Secondary eNB, 略してSeNB）と称される。ＤＣにおいて、ＭｅＮＢによりサービスされる複数のサービングセルは、プライマリセルグループ（Master Cell Group, 略してMCG）を形成し、１つのＰＣｅｌｌ及び１つ又は複数のオプションのＳＣｅｌｌを含む。ＳｅＮＢによりサービスされる複数のサービングセルは、セカンダリセルグループ（Secondary Cell Group, 略してSCG）を形成する。
【０００７】
ＤＣシナリオに対し、３種類のデータベアラがある：MCGベアラ、SCGベアラ、及びスプリットベアラ（split bearer）。データベアラを確立する場合、ネットワークは、特定のベアラ種類を指定する。ＭＣＧベアラのデータは、ＭｅＮＢによりサービスされるサービングセルのみを使用することにより送信され得、ＭｅＮＢにおいて暗号化又は復号され、アップリンクデータが、ＭｅＮＢを使用することによりサービングゲートウェイ（Serving Gateway, 略してS-GW）に送信されるか、又はダウンリンクデータが、ＭｅＮＢを使用することによりＳ−ＧＷから受信される。ＳＣＧベアラのデータは、ＳｅＮＢによりサービスされるサービングセルのみを使用することにより送信され得、ＳｅＮＢにおいて暗号化又は復号され、アップリンクデータは、ＳｅＮＢを使用することによりＳ−ＧＷに送信されるか、又はダウンリンクデータは、ＳｅＮＢを使用することによりＳ−ＧＷから受信される。スプリットベアラのデータは、ＭｅＮＢ又はＳｅＮＢによりサービスされるサービングセルを使用することにより送信され得、ＭｅＮＢにおいてのみ、暗号化又は復号でき、アップリンクデータは、ＭｅＮＢを使用することによりＳ−ＧＷに送信されるか、又はダウンリンクデータは、ＭｅＮＢを使用することによりＳ−ＧＷから受信される。
【０００８】
ネットワークがＵＥ用のＳｅＮＢを追加する場合、ＭｅＮＢは、ＭｅＮＢのキーに基づいて新たなキーを派生させ、その新たなキーを使用するためにＳｅＮＢに送信し、ＭｅＮＢもパラメータを派生させＵＥに送信する。ＵＥはこれらの派生されたパラメータに基づいて同じキーを派生させる。
【０００９】
現在の３ＧＰＰプロトコルによると、シングルキャリアシナリオ、ＣＡシナリオ、又はＤＣシナリオでは、ＵＥのＰＣｅｌｌが変更される場合、LTEシステムは、ハンドオーバ処理をトリガし、ＵＥのデータ伝送がそのハンドオーバ処理において中断される。シングルキャリアシナリオとは、ＵＥがシングルキャリアモードにあり、ＵＥがただ１つだけのサービングセルを用いてネットワークと通信することを意味する。ＣＡシナリオとは、ＵＥがＣＡモードになるように構成され、ＵＥが１つの基地局によりサービスされる少なくとも２つのセルを使用することによってネットワークと通信することを意味する。ＤＣシナリオとは、ＵＥがＤＣモードになるように構成され、ＵＥが２つの基地局によりサービスされる複数のセルを使用することによりネットワークと通信することを意味する。ネットワーク配置密度が増加するにつれて、ＵＥの移動は、ＰＣｅｌｌの頻繁な変更を生じさせる。その結果、ＵＥのデータ伝送は、頻繁に中断され、エンドユーザのサービス経験に深刻な影響を及ぼし、特に、遅延に敏感なサービスに対し深刻な影響を及ぼす。
【発明の概要】
【課題を解決するための手段】
【００１０】
本発明の実施形態は、プライマリセル（ＰＣｅｌｌ）が変更される場合のデータ伝送中断の問題を解決する、モビリティ管理方法、装置、及びシステムを提供する。
【００１１】
ここで、シングルキャリアシナリオの場合、ＵＥは、ただ１つだけのサービングセルを有することに特に留意すべきである。サービングセルは、代わりにソースＰＣｅｌｌとして理解されてもよい。サービングセルの変更は、ＰＣｅｌｌの変更として理解される。ターゲットサービングセルは、ターゲットＰＣｅｌｌとして理解される。
【００１２】
第１の態様では、本発明の実施形態は、モビリティ管理方法を提供する。方法は、ユーザ装置（User Equipment, 略してUE）により、プライマリセル（Primary Cell, 略してPCell）の変更を示すために使用されるメッセージを第１基地局から受信するステップであって、前記第１基地局は、前記ＵＥのソースプライマリセル（ＰＣｅｌｌ）が属する基地局であり、ＰＣｅｌｌの変更を示すために使用される前記メッセージは、ターゲットＰＣｅｌｌに関する情報を搬送する、ステップと、ＰＣｅｌｌの変更を示すために使用される前記受信したメッセージに基づいてＰＣｅｌｌの変更を前記ＵＥにより実行するステップであって、前記ＰＣｅｌｌの変更は、前記ターゲットＰＣｅｌｌを前記ＵＥのＰＣｅｌｌに変更することと、前記ソースＰＣｅｌｌを前記ＵＥのアクティブ状態であるセカンダリセル（Secondary Cell, 略してSCell）に変更することとを含み、前記ＰＣｅｌｌの変更の間、前記ＵＥは、前記ソースＰＣｅｌｌ及び前記ターゲットＰＣｅｌｌとのデータ伝送を継続する、ステップと、ＰＣｅｌｌの変更完了を示すために使用されるメッセージを、前記ＵＥにより、前記第１基地局又は第２基地局に送信するステップであって、前記第２基地局は、前記ターゲットＰＣｅｌｌが属する基地局である、ステップと、を含む。本発明のこの実施形態では、前記ＰＣｅｌｌの変更は、ハンドオーバを通じてではなく修正を通じて実行される。前記ＰＣｅｌｌの変更が修正を通じて実行されることは、前記ＵＥと、前記ソースＰＣｅｌｌ及び前記ターゲットＰＣｅｌｌとの間の無線接続は、前記ＰＣｅｌｌの変更の間、中断されずに維持され、前記第１基地局及び前記第２基地局は、前記ＰＣｅｌｌの変更の間、前記ＵＥのデータをスケジュールすることができることを含む。
【００１３】
可能な設計では、ＰＣｅｌｌの変更を示すために使用される前記メッセージは、ＰＣｅｌｌの変更メッセージ、又はＰＣｅｌｌの変更インジケーションを搬送する無線リソース制御（Radio Resource Control, 略してRRC）接続再構成メッセージである。
【００１４】
可能な設計では、ＰＣｅｌｌの変更完了を示すために使用される前記メッセージは、ＰＣｅｌｌの変更の完了メッセージ又はＲＲＣ接続再構成完了メッセージである。
【００１５】
可能な設計では、前記ＰＣｅｌｌの変更は、前記ＵＥのデータベアラのメディアアクセス制御（Media Access Control, 略してMAC）レイヤをリセットすることをスキップするステップ、前記ＵＥのデータベアラの無線リンク制御（Radio Link Control, 略してRLC）レイヤを再構成することをスキップするステップ、及び前記ＵＥのデータベアラのパケットデータコンバージェンスプロトコル（Packet Data Convergence Protocol, 略してPDCP）レイヤを再構成することをスキップするステップをさらに含む。
【００１６】
可能な設計では、前記ＰＣｅｌｌの変更は、前記ＰＣｅｌｌの変更の間及びその後に、前記ＵＥが各サービング基地局と通信するために使用される鍵及びセキュリティアルゴリズムが変更されないように維持するステップをさらに含み、前記サービング基地局は、前記ＵＥと無線エアインターフェース接続を確立する少なくとも１つのセルにサービングする基地局である。
【００１７】
可能な設計では、前記ＰＣｅｌｌの変更は、前記ＵＥが前記ソースＰＣｅｌｌと前記ターゲットＰＣｅｌｌが同じ基地局に属していないことを決定する場合、すなわち、基地局間のＰＣｅｌｌの変更のシナリオである場合、前記ＵＥは、前記第１基地局をセカンダリｅＮｏｄｅＢ（Secondary eNB, 略してSeNB）として使用し、前記第２基地局をマスターｅＮｏｄｅＢ（Master eNB, 略してMeNB）として使用することをさらに含む。
【００１８】
可能な設計では、前記ＰＣｅｌｌの変更は、前記ＵＥが前記ソースＰＣｅｌｌ及び前記ターゲットＰＣｅｌｌが同じ基地局に属していることを決定する場合、すなわち、基地局内のＰＣｅｌｌの変更のシナリオである場合、前記ＵＥのシグナリングベアラのＭＡＣレイヤをリセットすることをスキップするステップ、前記ＵＥの前記シグナリングベアラのＲＬＣレイヤを再構成することをスキップするステップ、及び前記ＵＥの前記シグナリングベアラのＰＤＣＰレイヤを再構成することをスキップするステップをさらに含む。
【００１９】
可能な設計では、前記ＰＣｅｌｌの変更は、前記ＰＣｅｌｌの変更の間及び／又は変更後に、前記ＰＣｅｌｌの変更の前の前記ターゲットＰＣｅｌｌのタイミングアドバンス（ＴＡ）値の使用を続けることにより、前記ＵＥにより、前記ターゲットＰＣｅｌｌと通信するステップをさらに含む。
【００２０】
可能な設計では、前記ＰＣｅｌｌの変更は、前記ＰＣｅｌｌの変更の間及び／又は変更後に、前記ソースＰＣｅｌｌと前記ターゲットＰＣｅｌｌ以外の別のサービングセルのアクティブ／インアクティブ状態が変更されないように維持するステップをさらに含む。
【００２１】
可能な設計では、前記ＰＣｅｌｌの変更は、前記ＵＥが、前記ターゲットＰＣｅｌｌは前記ＵＥの現在のサービングセルでないと決定する場合、前記ＵＥは、まず前記ターゲットＰＣｅｌｌを前記ＵＥのセカンダリセル（Secondary Cell, 略してSCell）として追加し、その後、前記ＵＥは、前記ＰＣｅｌｌの変更を実施することをさらに含む。前記ＰＣｅｌｌの変更は、前記ターゲットＰＣｅｌｌを前記ＵＥの前記ＰＣｅｌｌに変更するステップと、前記ソースＰＣｅｌｌを、前記ＵＥの、前記アクティブ状態にある前記セカンダリセルＳＣｅｌｌに変更するステップとを含む。
【００２２】
第２の態様では、本発明の実施形態は、別のモビリティ管理方法を提供する。前記方法は、第１基地局により、ユーザ装置のプライマリセル（ＰＣｅｌｌ）の変更を実行することを決定し、ターゲットＰＣｅｌｌを決定するステップであって、前記第１基地局は、前記ＵＥのソースＰＣｅｌｌが属する基地局である、ステップと、前記第１基地局により、ＰＣｅｌｌの変更を示すために使用されるメッセージを前記ＵＥに送信するステップであって、ＰＣｅｌｌの変更を示すために使用される前記メッセージは、ターゲットＰＣｅｌｌに関する情報を搬送し、前記ＰＣｅｌｌの変更は、前記ターゲットＰＣｅｌｌを前記ＵＥのＰＣｅｌｌに変更することと、前記ソースＰＣｅｌｌを前記ＵＥの、アクティブ状態にあるセカンダリセルＳＣｅｌｌに変更することとを含む、ステップとを含む。前記ＰＣｅｌｌの変更の間、前記ＵＥは、サービングセルとのデータ伝送の実行を継続する。本発明のこの実施形態では、前記ＰＣｅｌｌの変更は、ハンドオーバを通じてではなく修正を通じて実行される。前記ＰＣｅｌｌの変更が修正を通じて実行されることは、前記ＵＥと、前記ソースＰＣｅｌｌ及び前記ターゲットＰＣｅｌｌとの間の無線接続は、前記ＰＣｅｌｌの変更の間、中断されずに維持され、前記第１基地局及び前記第２基地局は、前記ＰＣｅｌｌの変更の間、前記ＵＥのデータをスケジュールすることができることを含む。
【００２３】
可能な設計では、ＰＣｅｌｌの変更を示すために使用される前記メッセージは、ＰＣｅｌｌの変更メッセージ、又はＰＣｅｌｌの変更インジケーションを搬送するＲＲＣ接続再構成メッセージである。
【００２４】
可能な設計では、前記ＰＣｅｌｌの変更は、前記ＰＣｅｌｌの変更の間及びその後に、前記第１基地局により使用される鍵及びセキュリティアルゴリズムが変更されないように維持するステップをさらに含む。
【００２５】
可能な設計では、前記ＰＣｅｌｌの変更は、ＰＣｅｌｌの変更完了を示すために使用されるメッセージを前記ＵＥから前記第１基地局により受信するステップをさらに含む。
【００２６】
可能な設計では、ＰＣｅｌｌの変更完了を示すために使用される前記メッセージは、ＰＣｅｌｌの変更の完了メッセージ又はＲＲＣ接続再構成完了メッセージである。
【００２７】
可能な設計では、前記ＰＣｅｌｌの変更は、前記第１基地局により、ＰＣｅｌｌの変更を示すために使用される要求メッセージを第２基地局に送信するステップであって、前記第２基地局は、前記ＵＥの前記ターゲットＰＣｅｌｌが属する基地局であり、前記ＰＣｅｌｌの変更を示すために使用される要求メッセージは、前記ターゲットＰＣｅｌｌに関する情報を搬送する、ステップと、前記第２基地局により送信されたアクノリッジメッセージを、前記第１基地局により受信するステップであって、前記アクノリッジメッセージは、ＰＣｅｌｌの変更を示すために使用されるとともに前記第１基地局により前記第２基地局へ送信される前記要求メッセージをアクノリッジするために使用される、ステップと、ＰＣｅｌｌの変更完了を示すために使用されるメッセージ、又はシーケンス番号（SeqＵＥnce Number, 略してSN）状態を要求するために使用されるとともに前記第２基地局により送信されるメッセージを、前記第１基地局により受信するステップであって、ＳＮ状態を要求するために使用される前記メッセージは、前記第１基地局から、アップリンク・パケットデータコンバージェンスプロトコル（ＰＤＣＰ）ＳＮ受信状態及びダウンリンクＰＤＣＰ ＳＮ送信状態を要求するために使用され、前記第２基地局が前記ＵＥからＰＣｅｌｌの変更完了を示すために使用される前記メッセージを受信した後に、前記第２基地局により、ＰＣｅｌｌの変更完了を示すために使用される前記メッセージ又はＳＮ状態を要求するために使用される前記メッセージが送信される、ステップと、前記第１基地局によりＳＮ状態遷移メッセージを前記第２基地局に送信するステップであって、前記ＳＮ状態遷移メッセージは、前記アップリンクＰＤＣＰ ＳＮ受信状態及び前記ダウンリンクＰＤＣＰ ＳＮ送信状態を搬送し、前記第１基地局がＰＣｅｌｌの変更完了を示すために使用される前記メッセージ又はＳＮ状態を要求するために使用される前記メッセージを受信した後に、前記ＳＮ状態遷移メッセージが前記第１基地局により送信される、ステップと、をさらに含む。
【００２８】
可能な設計では、前記ＰＣｅｌｌの変更を示すために使用される要求メッセージは、ＰＣｅｌｌの変更要求メッセージ、又はＰＣｅｌｌの変更インジケーションを搬送するハンドオーバ要求メッセージである。
【００２９】
第３の態様では、本発明の実施形態は、別のモビリティ管理方法を提供する。前記方法は、第１基地局により送信され、プライマリセル（ＰＣｅｌｌ）の変更を示すために使用される要求メッセージを、第２基地局により受信するステップであって、前記第１基地局は、ＵＥのソースＰＣｅｌｌが属する基地局であり、前記第２基地局は、前記ＵＥのターゲットＰＣｅｌｌが属する基地局であり、前記ＰＣｅｌｌの変更を示すために使用される要求メッセージは、前記ターゲットＰＣｅｌｌに関する情報を搬送し、前記ＰＣｅｌｌの変更は、前記ターゲットＰＣｅｌｌを前記ＵＥのＰＣｅｌｌに変更することと、前記ソースＰＣｅｌｌを前記ＵＥの、アクティブ状態にあるセカンダリセルＳＣｅｌｌに変更することとを含み、前記ＰＣｅｌｌの変更の間、前記第２基地局は、前記ＵＥとのデータ伝送の実行を継続する、ステップと、アクノリッジメッセージを前記第１基地局に、前記第２基地局により、送信するステップであって、前記アクノリッジメッセージは、ＰＣｅｌｌの変更を示すために使用されるとともに前記第１基地局により前記第２基地局へ送信される前記要求メッセージをアクノリッジするために使用される、ステップと、を含む。本発明のこの実施形態では、前記ＰＣｅｌｌの変更は、ハンドオーバを通じてではなく修正を通じて実行される。前記ＰＣｅｌｌの変更が修正を通じて実行されることは、前記ＵＥと、前記ソースＰＣｅｌｌ及び前記ターゲットＰＣｅｌｌとの間の無線接続は、前記ＰＣｅｌｌの変更の間、中断されずに維持され、前記第１基地局及び前記第２基地局は、前記ＰＣｅｌｌの変更の間、前記ＵＥのデータをスケジュールすることができることを含む。
【００３０】
可能な設計では、前記モビリティ管理方法は、ＰＣｅｌｌの変更完了を示すために使用され、前記ＵＥにより送信されるメッセージを、前記第２基地局により受信するステップと、ＰＣｅｌｌの変更完了を示すために使用される前記メッセージ、又はシーケンス番号（ＳＮ）状態を要求するために使用されるメッセージを、前記第２基地局により、前記第１基地局に送信するステップであって、ＳＮ状態を要求するために使用される前記メッセージは、前記第１基地局から、アップリンク・パケットデータコンバージェンスプロトコル（ＰＤＣＰ）ＳＮ受信状態及びダウンリンクＰＤＣＰ ＳＮ送信状態を要求するために使用され、前記第２基地局が前記ＵＥからＰＣｅｌｌの変更完了を示すために使用される前記メッセージを受信した後に、前記第２基地局により、ＰＣｅｌｌの変更完了を示すために使用される前記メッセージ又はＳＮ状態を要求するために使用される前記メッセージが送信される、ステップと、前記第２基地局により、前記第１基地局からＳＮ状態遷移メッセージを受信するステップであって、前記ＳＮ状態遷移メッセージは、前記アップリンクＰＤＣＰ ＳＮ受信状態及び前記ダウンリンクＰＤＣＰ ＳＮ送信状態を搬送する、ステップと、をさらに含む。
【００３１】
可能な設計では、前記ＰＣｅｌｌの変更を示すために使用される要求メッセージは、ＰＣｅｌｌの変更要求メッセージ、又はＰＣｅｌｌの変更インジケーションを搬送するハンドオーバ要求メッセージである。
【００３２】
可能な設計では、前記ＰＣｅｌｌの変更は、前記ＰＣｅｌｌの変更の間及びその後に、前記第２基地局により使用される鍵及びセキュリティアルゴリズムが変更されないように維持することをさらに含む。
【００３３】
可能な設計では、前記アクノリッジメッセージは、前記第２基地局により、前記第１基地局に送信され、ＰＣｅｌｌの変更を示すために使用されるとともに前記第１基地局により前記第２基地局へ送信される前記要求メッセージをアクノリッジするために使用され、前記アクノリッジメッセージは、スプリットベアラのトンネル情報を搬送し、Ｓ１経路切り換え後に、前記第１基地局により復号されて前記第２基地局に送信されるアップリンクデータパケットを送信し、前記アップリンクデータパケットは、前記第２基地局により、サービングゲートウェイ（Serving Gateway, 略してS-GW）に転送される。
【００３４】
第４の態様では、本発明の実施形態は、ユーザ装置を提供する。前記ユーザ装置は、第１基地局から、ＰＣｅｌｌの変更を示すために使用されるメッセージを受信するように構成された送受信機であって、前記第１基地局は、前記ＵＥのソースプライマリセル（ＰＣｅｌｌ）が属する基地局であり、ＰＣｅｌｌの変更を示すために使用される前記メッセージは、ターゲットＰＣｅｌｌに関する情報を搬送する、送受信機と、ＰＣｅｌｌの変更を示すために使用される前記受信したメッセージに基づいて、ＰＣｅｌｌの変更を実行するように構成されているプロセッサであって、前記ＰＣｅｌｌの変更は、前記ターゲットＰＣｅｌｌを前記ＵＥのＰＣｅｌｌに変更するステップと、前記ソースＰＣｅｌｌを前記ＵＥの、アクティブ状態にあるセカンダリセルＳＣｅｌｌに変更するステップとを含み、前記ＰＣｅｌｌの変更の間、前記ＵＥは、サービングセルとのデータ伝送の実行を継続する、プロセッサと、を含み、前記送受信機は、ＰＣｅｌｌの変更完了を示すために使用されるメッセージを、前記第１基地局又は第２基地局に送信するようにさらに構成されており、前記第２基地局は、前記ターゲットＰＣｅｌｌが属する基地局である。本発明のこの実施形態では、前記ＰＣｅｌｌの変更は、ハンドオーバを通じてではなく修正を通じて実行される。前記ＰＣｅｌｌの変更が修正を通じて実行されることは、前記ＵＥと、前記ソースＰＣｅｌｌ及び前記ターゲットＰＣｅｌｌとの間の無線接続は、前記ＰＣｅｌｌの変更の間、中断されずに維持され、前記第１基地局及び前記第２基地局は、前記ＰＣｅｌｌの変更の間、前記ＵＥのデータをスケジュールすることができることを含む。
【００３５】
可能な設計では、ＰＣｅｌｌの変更を示すために使用され、前記送受信機により受信される前記メッセージは、ＰＣｅｌｌの変更メッセージ、又はＰＣｅｌｌの変更インジケーションを搬送するＲＲＣ接続再構成メッセージである。
【００３６】
可能な設計では、ＰＣｅｌｌの変更完了を示すために使用され、前記送受信機により送信される前記メッセージは、ＰＣｅｌｌの変更の完了メッセージ又はＲＲＣ接続再構成完了メッセージである。
【００３７】
可能な設計では、前記プロセッサは、前記ＵＥの前記データベアラのＭＡＣレイヤをリセットすることをスキップし、前記ＵＥの前記データベアラのＲＬＣレイヤを再構成することをスキップし、前記ＵＥの前記データベアラのＰＤＣＰレイヤを再構成することをスキップすることをさらに含む。その後、前記ＰＣｅｌｌの変更の間の連続的なデータスケジューリング及び送信が実行され得、送信中断を低減又は防止することさえ可能であり、リセットや再構成に起因するデータパケット損失、データパケット再送などを防止することができるので、前記ＰＣｅｌｌの変更の間の遅延に敏感なサービスに対するサービス経験を効果的に向上させることができる。
【００３８】
可能な設計では、前記プロセッサは、前記ＰＣｅｌｌの変更の間及びその後に、各サービング基地局と通信するために使用される鍵及びセキュリティアルゴリズムが変更されないように維持するようにさらに構成されており、ここにおける前記サービング基地局は、前記ＵＥへの無線エアインターフェースを確立する少なくとも１つのセルにサービスを提供する基地局である。
【００３９】
可能な設計では、前記プロセッサは、前記プロセッサが前記ソースＰＣｅｌｌと前記ターゲットＰＣｅｌｌが同じ基地局に属していないことを決定する場合、前記第１基地局をセカンダリｅＮｏｄｅＢ（SeNB）として使用し、前記第２基地局をマスターｅＮｏｄｅＢ（MeNB）として使用するようにさらに構成されている。
【００４０】
可能な設計では、前記プロセッサは、前記プロセッサが前記ソースＰＣｅｌｌ及び前記ターゲットＰＣｅｌｌが同じ基地局に属していることを決定する場合、前記ＵＥのシグナリングベアラのＭＡＣレイヤをリセットすることをスキップし、前記ＵＥの前記シグナリングベアラのＲＬＣレイヤを再構成することをスキップし、前記ＵＥの前記シグナリングベアラのＰＤＣＰレイヤを再構成することをスキップするようにさらに構成されている。
【００４１】
可能な設計では、前記送受信機は、前記ＰＣｅｌｌの変更の間及び／又は変更後に、前記ＰＣｅｌｌの変更の前の前記ターゲットＰＣｅｌｌのタイミングアドバンスＴＡ値の使用を継続することにより、前記ターゲットＰＣｅｌｌと通信するようにさらに構成されている。
【００４２】
可能な設計では、前記プロセッサは、前記ＰＣｅｌｌの変更の間及び／又は変更後に、前記ソースＰＣｅｌｌと前記ターゲットＰＣｅｌｌ以外の別のサービングセルのアクティブ／インアクティブ状態が変更されないように維持するようにさらに構成されている。
【００４３】
可能な設計では、前記プロセッサは、前記プロセッサが、前記ターゲットＰＣｅｌｌは、前記ＵＥのサービングセルではないことを決定する場合、まず、前記ターゲットＰＣｅｌｌを前記ＵＥの前記ＳＣｅｌｌとして追加し、その後、前記ＰＣｅｌｌの変更を実行し、前記ターゲットＰＣｅｌｌを前記ＵＥの前記ＰＣｅｌｌに変更し、前記ソースＰＣｅｌｌを、前記ＵＥの、前記アクティブ状態にある前記セカンダリセルＳＣｅｌｌに変更するようにさらに構成されている。
【００４４】
第５の態様では、本発明の実施形態は、第１基地局デバイスを提供する。前記第１基地局は、ＵＥのソースＰＣｅｌｌが属する基地局であり、前記第１基地局は、前記ＵＥのＰＣｅｌｌの変更を実行することを決定し、ターゲットＰＣｅｌｌを決定するように構成されているプロセッサと、ＰＣｅｌｌの変更を示すために使用されるメッセージを前記ＵＥに送信するように構成されている送受信機であって、ＰＣｅｌｌの変更を示すために使用される前記メッセージは、ターゲットＰＣｅｌｌに関する情報を搬送し、前記ＰＣｅｌｌの変更は、前記ターゲットＰＣｅｌｌを前記ＵＥのＰＣｅｌｌに変更するステップと、前記ソースＰＣｅｌｌを前記ＵＥの、アクティブ状態にあるセカンダリセルＳＣｅｌｌに変更するステップとを含む、送受信機とを含む。本発明のこの実施形態では、前記ＰＣｅｌｌの変更は、ハンドオーバを通じてではなく修正を通じて実行される。前記ＰＣｅｌｌの変更が修正を通じて実行されることは、前記ＵＥと、前記ソースＰＣｅｌｌ及び前記ターゲットＰＣｅｌｌとの間の無線接続が、前記ＰＣｅｌｌの変更の間、中断されずに維持され、前記第１基地局及び前記第２基地局は、前記ＰＣｅｌｌの変更の間、前記ＵＥのデータをスケジュールすることができることを含む。
【００４５】
可能な設計では、ＰＣｅｌｌの変更を示すために使用されるとともに前記送受信機により送信される前記メッセージは、ＰＣｅｌｌの変更メッセージ、又はＰＣｅｌｌの変更インジケーションを搬送するＲＲＣ接続再構成メッセージである。
【００４６】
可能な設計では、前記プロセッサは、前記ＵＥからのアップリンクデータを復号し、前記ＵＥに送信されるダウンリンクデータを暗号化し、前記ＰＣｅｌｌの変更の間及びその後に、前記プロセッサにより使用される鍵及びセキュリティアルゴリズムが変更されないように維持されるようにさらに構成されている。
【００４７】
可能な設計では、前記送受信機は、前記ＵＥから、ＰＣｅｌｌの変更完了を示すために使用されるメッセージを受信するようにさらに構成されている。
【００４８】
可能な設計では、ＰＣｅｌｌの変更完了を示すために使用されるとともに前記送受信機により受信される前記メッセージは、ＰＣｅｌｌの変更の完了メッセージ又はＲＲＣ接続再構成完了メッセージである。
【００４９】
可能な設計では、前記送受信機は、ＰＣｅｌｌの変更を示すために使用される要求メッセージを第２基地局に送信し、前記第２基地局は、前記ＵＥの前記ターゲットＰＣｅｌｌが属する基地局であり、前記ＰＣｅｌｌの変更を示すために使用される要求メッセージは、前記ターゲットＰＣｅｌｌに関する情報を搬送し；前記第２基地局により送信されたアクノリッジメッセージを受信し、前記アクノリッジメッセージは、ＰＣｅｌｌの変更を示すために使用されるとともに前記送受信機により前記第２基地局に送信される前記要求メッセージをアクノリッジするために使用され；ＰＣｅｌｌの変更完了を示すために使用されるメッセージ、又はＳＮ状態を要求するために使用されるとともに前記第２基地局により送信されるメッセージを受信し、ＳＮ状態を要求するために使用される前記メッセージは、前記第１基地局から、アップリンクＰＤＣＰ ＳＮ受信状態、及びダウンリンクＰＤＣＰ ＳＮ送信状態を要求するために使用され；ＳＮ状態遷移メッセージを前記第２基地局に送信し、前記ＳＮ状態遷移メッセージは、前記アップリンクＰＤＣＰ ＳＮ受信状態及び前記ダウンリンクＰＤＣＰ ＳＮ送信状態を搬送し、前記ＳＮ状態遷移メッセージは、前記送受信機がＰＣｅｌｌの変更完了を示すために使用される前記メッセージ又はＳＮ状態を要求するために使用される前記メッセージを前記第２基地局から受信した後、前記送受信機により送信されるようにさらに構成されている。
【００５０】
可能な設計では、ＰＣｅｌｌの変更を示すために使用され、前記送受信機により送信される前記要求メッセージは、ＰＣｅｌｌの変更要求メッセージ、又はＰＣｅｌｌの変更インジケーションを搬送するハンドオーバ要求メッセージである。
【００５１】
第６の態様では、本発明の実施形態は、第２基地局デバイスを提供する。前記第２基地局はユーザ装置のターゲットＰＣｅｌｌが属する基地局である。前記第２基地局は、第１基地局により送信されるとともにプライマリセル（ＰＣｅｌｌ）の変更を示すために使用される要求メッセージを受信するように構成された送受信機を含み、前記第１基地局は、前記ＵＥのソースＰＣｅｌｌが属する基地局であり、前記ＰＣｅｌｌの変更を示すために使用される要求メッセージは、前記ターゲットＰＣｅｌｌに関する情報を搬送し、前記ＰＣｅｌｌの変更は、前記ターゲットＰＣｅｌｌを前記ＵＥのＰＣｅｌｌに変更するステップと、前記ソースＰＣｅｌｌを前記ＵＥの、アクティブ状態にあるセカンダリセルＳＣｅｌｌに変更するステップとを含み、前記ＰＣｅｌｌの変更の間、前記送受信機は、前記ＵＥとのデータ伝送の実行を継続し、前記送受信機は、アクノリッジメッセージを前記第１基地局に送信するようにさらに構成されており、前記アクノリッジメッセージは、ＰＣｅｌｌの変更を示すために使用されるとともに前記第１基地局により前記第２基地局へ送信される前記要求メッセージをアクノリッジするために使用される。本発明のこの実施形態では、前記ＰＣｅｌｌの変更は、ハンドオーバを通じてではなく修正を通じて実行される。前記ＰＣｅｌｌの変更が修正を通じて実行されることは、前記ＵＥと、前記ソースＰＣｅｌｌ及び前記ターゲットＰＣｅｌｌとの間の無線接続が、前記ＰＣｅｌｌの変更の間、中断されずに維持され、前記第１基地局及び前記第２基地局が、前記ＰＣｅｌｌの変更の間、前記ＵＥのデータをスケジュールすることができることを含む。
【００５２】
可能な設計では、前記送受信機は、ＰＣｅｌｌの変更完了を示すために使用されるとともに前記ＵＥにより送信されるメッセージを受信し；ＰＣｅｌｌの変更完了を示すために使用される前記メッセージ又はシーケンス番号（ＳＮ）状態を要求するために使用されるメッセージを、前記第１基地局に送信し、ＳＮ状態を要求するために使用される前記メッセージは、前記第１基地局から、アップリンク・パケットデータコンバージェンスプロトコル（ＰＤＣＰ）ＳＮ受信状態及びダウンリンクＰＤＣＰ ＳＮ送信状態を要求するために使用され、ＰＣｅｌｌの変更完了を示すために使用される前記メッセージ又はＳＮ状態を要求するために使用される前記メッセージは、前記送受信機が前記ＵＥからＰＣｅｌｌの変更完了を示すために使用される前記メッセージを受信した後に、前記送受信機により送信され；前記第１基地局からＳＮ状態遷移メッセージを受信し、前記メッセージは、前記アップリンクＰＤＣＰ ＳＮ受信状態及び前記ダウンリンクＰＤＣＰ ＳＮ送信状態を搬送するようにさらに構成されている。
【００５３】
可能な設計では、ＰＣｅｌｌの変更を示すために使用され、前記送受信機により受信される前記要求メッセージは、ＰＣｅｌｌの変更要求メッセージ、又はＰＣｅｌｌの変更インジケーションを搬送するハンドオーバ要求メッセージである。
【００５４】
可能な設計では、前記第２基地局は、前記ＵＥからのアップリンクデータを復号し、前記ＵＥに送信されるダウンリンクデータを暗号化し、前記ＰＣｅｌｌの変更の間及びその後に、前記プロセッサにより使用される鍵及びセキュリティアルゴリズムが変更されないように維持するように構成されたプロセッサをさらに含む。
【００５５】
可能な設計では、前記送受信機により送信された前記アクノリッジメッセージは、スプリットベアラのトンネル情報を搬送し、Ｓ１経路切り換え後に、前記第１基地局により復号されて前記第２基地局に送信されるアップリンクデータパケットを送信し、前記アップリンクデータパケットは、前記送受信機により、Ｓ−ＧＷに転送される。
【００５６】
第７の態様では、本発明の実施形態は、別のユーザ装置を提供する。デバイスは、第１基地局からＰＣｅｌｌの変更を示すために使用されるメッセージを受信するように構成された送受信ユニットであって、前記第１基地局は、前記ＵＥのソースプライマリセル（ＰＣｅｌｌ）が属する基地局であり、ＰＣｅｌｌの変更を示すために使用される前記メッセージは、ターゲットＰＣｅｌｌに関する情報を搬送する、送受信ユニットと、ＰＣｅｌｌの変更を示すために使用される前記受信したメッセージに基づいて、ＰＣｅｌｌの変更を実行するように構成されている処理ユニットであって、前記ＰＣｅｌｌの変更は、前記ターゲットＰＣｅｌｌを前記ＵＥのＰＣｅｌｌに変更するステップと、前記ソースＰＣｅｌｌを前記ＵＥの、アクティブ状態にあるセカンダリセルＳＣｅｌｌに変更するステップとを含み、前記ＰＣｅｌｌの変更の間、前記ＵＥは、サービングセルとのデータ伝送の実行を継続する、処理ユニットと、を含み、前記送受信ユニットは、ＰＣｅｌｌの変更完了を示すために使用されるメッセージを前記第１基地局又は第２基地局に送信するようにさらに構成され、前記第２基地局は、前記ターゲットＰＣｅｌｌが属する基地局である。本発明のこの実施形態では、前記ＰＣｅｌｌの変更は、ハンドオーバを通じてではなく修正を通じて実行される。前記ＰＣｅｌｌの変更が修正を通じて実行されることは、前記ＵＥと、前記ソースＰＣｅｌｌ及び前記ターゲットＰＣｅｌｌとの間の無線接続が、前記ＰＣｅｌｌの変更の間、中断されずに維持され、前記第１基地局及び前記第２基地局が、前記ＰＣｅｌｌの変更の間、前記ＵＥのデータをスケジュールすることができることを含む。
【００５７】
可能な設計では、ＰＣｅｌｌの変更を示すために使用されるとともに前記送受信ユニットにより受信されるメッセージは、ＰＣｅｌｌの変更メッセージ、又はＰＣｅｌｌの変更インジケーションを搬送するＲＲＣ接続再構成メッセージである。
【００５８】
可能な設計では、ＰＣｅｌｌの変更完了を示すために使用されるとともに前記送受信ユニットにより送信される前記メッセージは、ＰＣｅｌｌの変更の完了メッセージ又はＲＲＣ接続再構成完了メッセージである。
【００５９】
可能な設計では、前記処理ユニットは、前記ＵＥの前記データベアラのＭＡＣレイヤをリセットすることをスキップし、前記ＵＥの前記データベアラのＲＬＣレイヤを再構成することをスキップし、前記ＵＥの前記データベアラのＰＤＣＰレイヤを再構成することをスキップするようにさらに構成されている。その後、前記ＰＣｅｌｌの変更の間の連続的なデータスケジューリング及び送信が実行され得、送信中断を低減又は防止することさえ可能であり、リセットや再構成に起因するデータパケット損失、データパケット再送などを防止することができるので、前記ＰＣｅｌｌの変更の間の遅延に敏感なサービスに対するサービス経験を効果的に向上させることができる。
【００６０】
可能な設計では、前記処理ユニットは、記ＰＣｅｌｌの変更の間及びその後に、各サービング基地局と通信するために使用される鍵及びセキュリティアルゴリズムが変更されないように維持され、ここにおける前記サービング基地局は、前記ＵＥへの無線エアインターフェースを確立する少なくとも１つのセルにサービスを提供する基地局である。
【００６１】
可能な設計では、前記処理ユニットは、前記処理ユニットが前記ソースＰＣｅｌｌと前記ターゲットＰＣｅｌｌが同じ基地局に属していないことを決定する場合、前記第１基地局をセカンダリｅＮｏｄｅＢ（SeNB）として使用し、前記第２基地局をマスターｅＮｏｄｅＢ（MeNB）として使用するようにさらに構成されている。
【００６２】
可能な設計では、前記処理ユニットは、前記処理ユニットが前記ソースＰＣｅｌｌ及び前記ターゲットＰＣｅｌｌが同じ基地局に属していることを決定する場合、前記ＵＥのシグナリングベアラのＭＡＣレイヤをリセットすることをスキップし、前記ＵＥの前記シグナリングベアラのＲＬＣレイヤを再構成することをスキップし、前記ＵＥの前記シグナリングベアラのＰＤＣＰレイヤを再構成することをスキップするようにさらに構成されている。
【００６３】
可能な設計では、前記送受信ユニットは、前記ＰＣｅｌｌの変更の間及び／又は変更後に、前記ＰＣｅｌｌの変更の前の前記ターゲットＰＣｅｌｌのタイミングアドバンスＴＡ値の使用を継続することにより、前記ターゲットＰＣｅｌｌと通信するようにさらに構成されている。
【００６４】
可能な設計では、前記処理ユニットは、前記ＰＣｅｌｌの変更の間及び／又は変更後に、前記ソースＰＣｅｌｌと前記ターゲットＰＣｅｌｌ以外の別のサービングセルのアクティブ／インアクティブ状態が変更されないように維持するようにさらに構成されている。
【００６５】
可能な設計では、前記処理ユニットは、前記処理ユニットが、前記ターゲットＰＣｅｌｌは、前記ＵＥのサービングセルではないことを決定する場合、まず、前記ターゲットＰＣｅｌｌを前記ＵＥの前記ＳＣｅｌｌとして追加し、その後、前記ＰＣｅｌｌの変更を実行して、前記ターゲットＰＣｅｌｌを前記ＵＥの前記ＰＣｅｌｌに変更し、前記ソースＰＣｅｌｌを、前記ＵＥの、前記アクティブ状態にある前記セカンダリセルＳＣｅｌｌに変更するようにさらに構成されている。
【００６６】
第８の態様では、本発明の実施形態は、別の第１基地局デバイスを提供する。前記第１基地局は、ＵＥのソースＰＣｅｌｌが属する基地局である。前記第１基地局は、前記ＵＥのＰＣｅｌｌの変更を実行することを決定し、ターゲットＰＣｅｌｌを決定するように構成された処理ユニットと、ＰＣｅｌｌの変更を示すために使用されるメッセージを前記ＵＥに送信するように構成された送受信ユニットであって、ＰＣｅｌｌの変更を示すために使用される前記メッセージは、ターゲットＰＣｅｌｌに関する情報を搬送し、前記ＰＣｅｌｌの変更は、前記ターゲットＰＣｅｌｌを前記ＵＥのＰＣｅｌｌに変更するステップと、前記ソースＰＣｅｌｌを前記ＵＥの、アクティブ状態にあるセカンダリセルＳＣｅｌｌに変更するステップとを含む、送受信ユニットと、を含む。本発明のこの実施形態では、前記ＰＣｅｌｌの変更は、ハンドオーバを通じてではなく修正を通じて実行される。前記ＰＣｅｌｌの変更が修正を通じて実行されることは、前記ＵＥと、前記ソースＰＣｅｌｌ及び前記ターゲットＰＣｅｌｌとの間の無線接続が、前記ＰＣｅｌｌの変更の間、中断されずに維持され、前記第１基地局及び前記第２基地局が、前記ＰＣｅｌｌの変更の間、前記ＵＥのデータをスケジュールすることができることを含む。
【００６７】
可能な設計では、ＰＣｅｌｌの変更を示すために使用されるとともに前記送受信ユニットにより送信されるメッセージは、ＰＣｅｌｌの変更メッセージ、又はＰＣｅｌｌの変更インジケーションを搬送するＲＲＣ接続再構成メッセージである。
【００６８】
可能な設計では、前記処理ユニットは、前記ＵＥからのアップリンクデータを復号し、前記ＵＥに送信されるダウンリンクデータを暗号化し、前記ＰＣｅｌｌの変更の間及びその後に、前記処理ユニットにより使用される鍵及びセキュリティアルゴリズムが変更されないように維持されるようにさらに構成されている。
【００６９】
可能な設計では、前記送受信ユニットは、前記ＵＥから、ＰＣｅｌｌの変更完了を示すために使用されるメッセージを受信するようにさらに構成されている。
【００７０】
可能な設計では、ＰＣｅｌｌの変更完了を示すために使用されるとともに前記送受信ユニットにより受信される前記メッセージは、ＰＣｅｌｌの変更の完了メッセージ又はＲＲＣ接続再構成完了メッセージである。
【００７１】
可能な設計では、前記送受信ユニットは、ＰＣｅｌｌの変更を示すために使用される要求メッセージを第２基地局に送信し、前記第２基地局は、前記ＵＥの前記ターゲットＰＣｅｌｌが属する基地局であり、前記ＰＣｅｌｌの変更を示すために使用される要求メッセージは、前記ターゲットＰＣｅｌｌに関する情報を搬送し；前記第２基地局により送信されたアクノリッジメッセージを受信し、前記アクノリッジメッセージは、ＰＣｅｌｌの変更を示すために使用されるとともに前記送受信ユニットにより前記第２基地局に送信される前記要求メッセージをアクノリッジするために使用され；ＰＣｅｌｌの変更完了を示すために使用されるメッセージ、又はＳＮ状態を要求するために使用されるとともに前記第２基地局により送信されるメッセージを受信し、ＳＮ状態を要求するために使用される前記メッセージは、前記第１基地局から、アップリンクＰＤＣＰ ＳＮ受信状態及びダウンリンクＰＤＣＰ ＳＮ送信状態を要求するために使用され；ＳＮ状態遷移メッセージを前記第２基地局に送信し、前記ＳＮ状態遷移メッセージは、前記アップリンクＰＤＣＰ ＳＮ受信状態及び前記ダウンリンクＰＤＣＰ ＳＮ送信状態を搬送し、前記ＳＮ状態遷移メッセージは、前記送受信ユニットが前記第２基地局から、ＰＣｅｌｌの変更完了を示すために使用される前記メッセージ又はＳＮ状態を要求するために使用される前記メッセージを受信した後、前記送受信ユニットにより送信されるようにさらに構成されている。
【００７２】
可能な設計では、ＰＣｅｌｌの変更を示すために使用されるとともに前記送受信ユニットにより送信される前記要求メッセージは、ＰＣｅｌｌの変更要求メッセージ、又はＰＣｅｌｌの変更インジケーションを搬送するハンドオーバ要求メッセージである。
【００７３】
第９の態様では、本発明の実施形態は、別の第２基地局デバイスを提供する。前記第２基地局は、ユーザ装置のターゲットＰＣｅｌｌが属する基地局である。前記第２基地局は、第１基地局により送信されるとともにプライマリセル（ＰＣｅｌｌ）の変更を示すために使用される要求メッセージを受信するようにさらに構成された送受信ユニットを含み、前記第１基地局は、前記ＵＥのソースＰＣｅｌｌが属する基地局であり、前記ＰＣｅｌｌの変更を示すために使用される要求メッセージは、前記ターゲットＰＣｅｌｌに関する情報を搬送し、前記ＰＣｅｌｌの変更は、前記ターゲットＰＣｅｌｌを前記ＵＥのＰＣｅｌｌに変更するステップと、前記ソースＰＣｅｌｌを前記ＵＥの、アクティブ状態にあるセカンダリセルＳＣｅｌｌに変更するステップとを含み、前記ＰＣｅｌｌの変更の間、前記送受信ユニットは、前記ＵＥとのデータ伝送の実行を継続し、前記送受信ユニットは、アクノリッジメッセージを前記第１基地局に送信するようにさらに構成されており、前記アクノリッジメッセージは、ＰＣｅｌｌの変更を示すために使用されるとともに前記第１基地局により前記第２基地局へ送信される前記要求メッセージをアクノリッジするために使用される。本発明のこの実施形態では、前記ＰＣｅｌｌの変更は、ハンドオーバを通じてではなく修正を通じて実行される。前記ＰＣｅｌｌの変更が修正を通じて実行されることは、前記ＵＥと、前記ソースＰＣｅｌｌ及び前記ターゲットＰＣｅｌｌとの間の無線接続が、前記ＰＣｅｌｌの変更の間、中断されずに維持され、前記第１基地局及び前記第２基地局が、前記ＰＣｅｌｌの変更の間、前記ＵＥのデータをスケジュールすることができることを含む。
【００７４】
可能な設計では、前記送受信ユニットは、ＰＣｅｌｌの変更完了を示すために使用され、前記ＵＥにより送信されるメッセージを受信し；ＰＣｅｌｌの変更完了を示すために使用される前記メッセージ又はシーケンス番号（ＳＮ）状態を要求するために使用されるメッセージを、前記第１基地局に送信し、ＳＮ状態を要求するために使用される前記メッセージは、前記第１基地局から、アップリンク・パケットデータコンバージェンスプロトコル（ＰＤＣＰ）ＳＮ受信状態及びダウンリンクＰＤＣＰ ＳＮ送信状態を要求するために使用され、ＰＣｅｌｌの変更完了を示すために使用される前記メッセージ又はＳＮ状態を要求するために使用される前記メッセージは、前記送受信ユニットが前記ＵＥからＰＣｅｌｌの変更完了を示すために使用される前記メッセージを受信した後、前記送受信ユニットにより送信され；前記第１基地局からＳＮ状態遷移メッセージを受信し、前記メッセージは、前記アップリンクＰＤＣＰ ＳＮ受信状態及び前記ダウンリンクＰＤＣＰ ＳＮ送信状態を搬送するようにさらに構成されている。
【００７５】
可能な設計では、ＰＣｅｌｌの変更を示すために使用されるとともに、前記送受信ユニットにより受信される前記要求メッセージは、ＰＣｅｌｌの変更要求メッセージ、又はＰＣｅｌｌの変更インジケーションを搬送するハンドオーバ要求メッセージである。
【００７６】
可能な設計では、前記第２基地局は、前記ＵＥからのアップリンクデータを復号し、前記ＵＥに送信されるダウンリンクデータを暗号化し、前記ＰＣｅｌｌの変更の間及びその後に、前記処理ユニットにより使用される鍵及びセキュリティアルゴリズムが変更されないように維持されるように構成された処理ユニットをさらに含む。
【００７７】
可能な設計では、前記送受信ユニットにより送信される前記アクノリッジメッセージは、スプリットベアラのトンネル情報を搬送し、Ｓ１経路切り換え後に、前記第１基地局により復号されて前記第２基地局に送信されるアップリンクデータパケットを送信し、前記アップリンクデータパケットは、前記送受信ユニットにより、Ｓ−ＧＷに転送される。
【００７８】
第１０の態様では、本発明の実施形態は、通信システムを提供する。システムは、第４の態様または第７の態様の実施形態において提供されるＵＥ、及び第５の態様または第８の態様の実施形態において提供される第１基地局デバイス、又は、第４の態様または第７の態様の実施形態で提供されるＵＥ、第５の態様または第８の態様の実施形態において提供される第１基地局デバイス、及び第６の態様または第９の態様の実施形態において提供される第２基地局デバイス、又は、第５の態様または第８の態様の実施形態において提供される第１基地局デバイス、及び第６の態様または第９の態様の実施形態に提供される第２基地局デバイス、を含む。
【００７９】
本発明の実施形態によれば、前記ＰＣｅｌｌの変更は修正を通して実行されるので、前記ＵＥの前記ＰＣｅｌｌが変更される場合にデータ伝送は中断されず、これにより、遅延に敏感なサービスに対するサービス経験、特に、モバイルシナリオにおけるサービス経験を効果的に改善する。
【図面の簡単な説明】
【００８０】
【図１】図１は、本発明の実施形態による可能な基地局間ＰＣｅｌｌの変更の概略フローチャートである。
【図２】図２は、本発明の実施形態による可能な基地局内ＰＣｅｌｌの変更の概略フローチャートである。
【図３】図３は、本発明の実施形態によるＵＥの可能な装置構造の概略図である。
【図４】図４は、本発明の実施形態による第１基地局の可能な装置構造の概略図である。
【図５】図５は、本発明の実施形態による第２基地局の可能な装置構造の概略図である。
【図６】図６は、本発明の実施形態によるＵＥの別の可能な装置構造の概略図である。
【図７】図７は、本発明の実施形態による第１基地局の別の可能な装置構造の概略図である。
【図８】図８は、本発明の実施形態による第２基地局の別の可能な装置構造の概略図である。
【発明を実施するための形態】
【００８１】
本発明の目的、技術的解決策、および利点をより明瞭にするために、以下では、本発明の実施形態を、添付図面を参照してさらに説明する。当業者が創造的な取り組み無しに得られる他のすべての実施形態は、本発明の保護範囲に含まれるものとする。
【００８２】
図１に示されるように、図１は、本発明の実施形態による可能な基地局間プライマリセル（Primary Cell, 略してPCell）の変更の概略フローチャートである。
【００８３】
１０１：第１基地局は、ユーザ装置（User Equipment, 略してUE）のＰＣｅｌｌの変更の実行を決定し、ＰＣｅｌｌの変更のターゲットＰＣｅｌｌを決定する。第１基地局は、ソースＰＣｅｌｌが属する基地局であり、ソースＰＣｅｌｌは、ＰＣｅｌｌの変更の前に、ＵＥにサービスを提供するＰＣｅｌｌである。この実施形態では、第１基地局は、ソースマスターｅＮｏｄｅＢ（Master eNB, 略してMeNB）としても参照される。
【００８４】
さらに、第１基地局は、ＵＥにより報告される測定報告などの無線リソース管理（Radio Resource Management, 略してRRM）関連情報に基づいて、ＰＣｅｌｌの変更を実行するかどうか、及びどのターゲットＰＣｅｌｌとして選択されるかを決定し得る。
【００８５】
１０２：第１基地局は、ＰＣｅｌｌの変更を示すために使用される要求メッセージを第２基地局に送信する。第２基地局は、ターゲットＰＣｅｌｌが属する基地局であり、この実施形態では、第２基地局は、ターゲットＭｅＮＢとしても参照され得る。ＰＣｅｌｌの変更を示すために使用される要求メッセージは、例えば、ターゲットＰＣｅｌｌのセル識別子又はインデックスなどのターゲットＰＣｅｌｌに関する情報を搬送する。
【００８６】
オプションで、ＰＣｅｌｌの変更を示すために使用される要求メッセージは、キーに関する情報を搬送しなくてもよい。ターゲットＰＣｅｌｌがＵＥのサービングセルであるか、又は第２基地局がＵＥのサービング基地局である場合、鍵及びセキュリティアルゴリズムは、ＰＣｅｌｌの変更の間及びその後に第２基地局に対して変更されずに維持され得、キー又はセキュリティアルゴリズムの変更は、データ伝送の中断を引き起こし得るため、データ伝送への影響が減少し得る。
【００８７】
ＰＣｅｌｌの変更を示すために使用される要求メッセージは、ＰＣｅｌｌの変更要求メッセージか、又はＰＣｅｌｌの変更インジケーションを搬送するハンドオーバ要求メッセージであり、ＰＣｅｌｌの変更が修正を通じて実行されることを示す。ＰＣｅｌｌの変更が修正を通じて実行されることは、ＵＥと、ソースＰＣｅｌｌ及びターゲットＰＣｅｌｌとの間の無線接続は、ＰＣｅｌｌの変更の間、中断されずに維持され、第１基地局及び第２基地局は、ＰＣｅｌｌの変更の間、ＵＥのデータをスケジュールすることができる。ＰＣｅｌｌの変更を示すために使用される要求メッセージは、別の種類のメッセージであってもよいことは理解され得る。これは本発明では限定されない。新たなメッセージタイプについては、その新たなメッセージタイプのメッセージ構造を、ハンドオーバ要求メッセージを参照して、設定し得る。
【００８８】
オプションで、ＰＣｅｌｌの変更を示すために使用される要求メッセージは、無線リソース制御（Radio Resource Control, 略してRRC）構成情報及びキャリア情報を含む、ＵＥのコンテキスト情報をさらに搬送し得る。
【００８９】
オプションで、ＰＣｅｌｌの変更を示すために使用される要求メッセージは、第１GPRSトンネルプロトコル（General Packet Radio System Tunneling Protocol, 略してGTP）スプリットベアラのトンネル情報をさらに搬送し得、暗号化されるとともに第２基地局により第１基地局に送信されるダウンリンクデータパケットを、Ｓ１経路切り換え後に、伝送する。ダウンリンクデータパケットは、エアインターフェースを使用して、第１基地局によりＵＥへ送信される必要がある。
【００９０】
１０３：第２基地局は、アクノリッジメッセージを第１基地局に送信し、ＰＣｅｌｌの変更を示すために使用されるとともに第１基地局により第２基地局へ送信される要求メッセージにアクノリッジする。
【００９１】
オプションで、アクノリッジメッセージは、スプリットベアラ（split bearer）の第２ＧＴＰトンネル情報を搬送し得、復号され第１基地局により送信されるアップリンクデータパケットを、Ｓ１経路切り換え後に、第２基地局に伝送する。アップリンクデータパケットは、第２基地局によりサービングゲートウェイ（Serving Gateway, 略してS-GW）に転送される。
【００９２】
オプションで、アクノリッジメッセージは、スプリットベアラの第３GTPトンネル情報を搬送し得、第１基地局により送信されたアップリンクデータパケットを、Ｓ１経路切り換え後に、第２基地局に伝送する。アップリンクデータパケットは、復号され第２基地局によりＳ−ＧＷに送信される。
【００９３】
オプションで、アクノリッジメッセージは、元のＵＥコンテキストに基づく構成パラメータを搬送してもよい。例えば、物理アップリンク制御チャネル（Physical Uplink Control Channel, 略してPUCCH）が、ターゲットＰＣｅｌｌに対して事前に構成されていないならば、第２基地局は、ターゲットＰＣｅｌｌに使用されるPUCCH構成をアクノリッジメッセージに追加するか、又はターゲットＰＣｅｌｌは、ソースＰＣｅｌｌのPUCCH構成を使用する。アクノリッジメッセージがこれらの構成パラメータを搬送する２つの実装が存在する。１つは、アクノリッジメッセージが構成パラメータに対応する情報要素を搬送する。他方は、アクノリッジメッセージがコンテナ情報要素を搬送し、コンテナセルが、RRCメッセージを含み、ＲＲＣメッセージがこれらの構成パラメータを搬送する。ＲＲＣメッセージは、第１基地局によりＵＥに送信される。ＲＲＣメッセージは、ＵＥにＰＣｅｌｌを第２基地局によりサービングされるターゲットＰＣｅｌｌに変更するように要求するために使用される。変更のプロセスは、ハンドオーバを通じてではなく、修正によって実行される。
【００９４】
１０４：第１基地局は、ＰＣｅｌｌの変更を示すために使用されるメッセージをＵＥに送信する。ＰＣｅｌｌの変更を示すために使用されるメッセージは、ターゲットＰＣｅｌｌに関する情報、例えば、ターゲットＰＣｅｌｌのセル識別子又はインデックスを搬送する。
【００９５】
ＰＣｅｌｌの変更を示すために使用されるメッセージは、ＰＣｅｌｌの変更メッセージ、又はＰＣｅｌｌの変更インジケーションを搬送するＲＲＣ接続再構成メッセージであり得、ＵＥがハンドオーバを通じてではなく修正を通じてＰＣｅｌｌの変更を実行することを示す。具体的には、ＰＣｅｌｌの変更が修正を通じて実行されることは、ＵＥと、ソースＰＣｅｌｌ及びターゲットＰＣｅｌｌとの間の無線接続が、ＰＣｅｌｌの変更の間、中断されずに維持され、第１基地局及び第２基地局は、ＰＣｅｌｌの変更の間、ＵＥのデータをスケジュールすることができることを含む。ＰＣｅｌｌの変更を示すために使用されるメッセージは、選択的に別のタイプのメッセージであってもよいことは理解され得る。これは本発明では限定されない。
【００９６】
ＰＣｅｌｌの変更を示すために使用されるメッセージは、第１基地局により生成されてもよく、又はステップ１０３において第２基地局により送信される、受信したアクノリッジメッセージで搬送されたコンテナ内に含まれるＲＲＣメッセージであってもよい。
【００９７】
オプションで、第１基地局により使用される鍵及びセキュリティアルゴリズムは、ＰＣｅｌｌの変更の間及びその後に変更されずに維持され得、これにより、ＰＣｅｌｌの変更の間のデータ伝送への影響が低減される。
【００９８】
１０５：ＵＥは、ＰＣｅｌｌの変更を示すために使用されるとともに第１基地局から受信されたメッセージに基づいてＰＣｅｌｌの変更を実行する。ＰＣｅｌｌの変更は、ターゲットＰＣｅｌｌをＵＥのＰＣｅｌｌに変更するステップと、ソースＰＣｅｌｌを、ＵＥの、アクティブ状態にあるセカンダリセルＳＣｅｌｌに変更するステップとを含む。
【００９９】
オプションで、ＰＣｅｌｌの変更を示すために使用されるメッセージを受信した後、ＵＥは、ターゲットＰＣｅｌｌがＵＥのサービングセルであるかどうかを判定する。ターゲットＰＣｅｌｌがＵＥのサービングセルである場合には、ＵＥは、ＰＣｅｌｌの変更のプロセスを実行し、ＰＣｅｌｌの変更の間、ＵＥは、第１基地局との、又は第１基地局及び第２基地局とのデータ伝送の実行を継続し得る。ＰＣｅｌｌの変更の前に、ターゲットＰＣｅｌｌは、すでにＵＥのサービングセルであり、ＵＥは、ターゲットＰＣｅｌｌの利用可能なTA値を維持する。ＰＣｅｌｌの変更の間、又はＰＣｅｌｌの変更後、ＵＥは、ターゲットＰＣｅｌｌの現在のTA値の使用を継続し得、ターゲットＰＣｅｌｌにおいてランダムアクセスプロセスを開始する必要がないため、ＰＣｅｌｌの変更のプロセスをより早く完了させることができる。ターゲットＰＣｅｌｌがＵＥのサービングセルでない場合には、ＵＥは、まずターゲットＰＣｅｌｌをＵＥのセカンダリセルＳＣｅｌｌとして追加し、その後、ＰＣｅｌｌの変更のプロセスを実行する。ＵＥのＳＣｅｌｌとしてターゲットＰＣｅｌｌを追加するプロセスにおいて、ＰＣｅｌｌの変更の間、ＵＥは、第１基地局との、又は第１基地局及び第２基地局とのデータ伝送の実行を継続し得る。ＵＥのＳＣｅｌｌとしてターゲットＰＣｅｌｌを追加するプロセスでは、ターゲットＰＣｅｌｌが第２基地局の第１サービングセルである場合には、ランダムアクセスプロセスを開始してタイミングアドバンス（Timing Advance, 略してTA）値を取得し得、第２基地局が、ＰＣｅｌｌの変更の前にすでにＵＥのサービング基地局である場合には、ＵＥは、第２基地局によりサービスされる別のサービングセルの利用可能なＴＡ値を維持し、ＵＥは、そのＴＡ値をターゲットＰＣｅｌｌのＴＡ値として使用し得、ターゲットＰＣｅｌｌでランダムアクセスプロセスを開始する必要がないので、ＰＣｅｌｌの変更のプロセスをより早く完了させることができることは理解され得る。
【０１００】
ＰＣｅｌｌの変更後、ソースＰＣｅｌｌとターゲットＰＣｅｌｌは双方ともＵＥのサービングセルであり、それぞれ第１基地局及び第２基地局に属していることは理解され得る。ソースＰＣｅｌｌ及びターゲットＰＣｅｌｌは、ＤＣ様式によりＵＥにサービスを提供するので、したがって、ＵＥに対してＤＣが構成されていることと同等である。
【０１０１】
従来技術では、ＵＥのＰＣｅｌｌが変更されると、ＵＥのＰＣｅｌｌは、ハンドオーバを通じてソースＰＣｅｌｌからターゲットＰＣｅｌｌにハンドオーバし、ＵＥとネットワーク側とのデータ伝送は、ハンドオーバ処理において中断される。しかし、本発明のこの実施形態において提供されるＰＣｅｌｌの変更の方法によれば、ＵＥのＰＣｅｌｌは、修正を通じてソースＰＣｅｌｌからターゲットＰＣｅｌｌに変更される。具体的には、ＰＣｅｌｌの変更が修正を通じて実行されることは、ＵＥと、ソースＰＣｅｌｌ及びターゲットＰＣｅｌｌとの間の無線接続は、ＰＣｅｌｌの変更の間、中断されずに維持され、第１基地局及び第２基地局は、ＰＣｅｌｌの変更の間、ＵＥのデータをスケジュールすることができることを含む。
【０１０２】
具体的には、ＰＣｅｌｌの変更は、ＵＥにより、第１基地局をセカンダリｅＮｏｄｅＢ （Secondary eNB, 略してSeNB）として使用することと、第２基地局をマスターｅＮｏｄｅＢ （Master eNB, 略してMeNB）として使用することとをさらに含む。対応するベアラも対応して変更され得、具体的には、プライマリセルグループ（Master Cell Group, 略してMCG）ベアラ、セカンダリセルグループ（Secondary Cell Group, 略してSCG）ベアラ、及びスプリットベアラを含む。具体的には、以下の２つの異なるベアラ変更の解決策が存在する。
【０１０３】
ベアラ変更の解決策の１つは、元のベアラのデータフローが可能な限り維持されることであり、ＰＣｅｌｌの変更の間、データ伝送は、可能な限り影響を受けない。具体的には、第１基地局に関連するベアラタイプが、ＭＣＧベアラからSCGベアラに変更され、第２基地局に関連するベアラタイプがSCGベアラからＭＣＧベアラに変更される。スプリットベアラに対し、スプリットベアラのセキュリティ機能は、常に現在のＭｅＮＢに固定される。ただ１つだけの現在のＭｅＮＢがある。現在のＭｅＮＢは、ＰＣｅｌｌの変更の完了の前の第１基地局である。現在のＭｅＮＢは、ＰＣｅｌｌの変更の完了後の第２基地局である。ＰＣｅｌｌの変更が完了した後、スプリットベアラ上のデータパケットは、第２基地局のセキュリティ鍵及びセキュリティアルゴリズムを使用して暗号化及び復号される。ＰＣｅｌｌの変更の完了前のデータパケットは、依然として第１基地局において鍵及びセキュリティアルゴリズムを使用して暗号化及び復号される。オプションで、ＲＬＣレイヤ及び第１基地局の下位レイヤですでにキャッシュされているか又は送信されたデータパケットは、送信が完了するまで、第１基地局において依然として送信される。
【０１０４】
他方のベアラ変更の解決策は、ベアラを第２基地局に可能な限り伝送することでありる。具体的には、ＰＣｅｌｌの変更の前の第１基地局に関連するMCGベアラは、ＰＣｅｌｌの変更後の第２基地局に関連する。第２基地局が、ＰＣｅｌｌの変更の前に、すでにＵＥのサービング基地局である場合には、ＰＣｅｌｌの変更の前に第２基地局に関連するSCGベアラは、ＰＣｅｌｌの変更後も依然として第２基地局に関連し、ベアラタイプは、ＭＣＧベアラに変更される。ＰＣｅｌｌの変更の前のスプリットベアラは、依然としてＰＣｅｌｌの変更後のスプリットベアラであるが、セキュリティ機能は、第２基地局に固定される。あるいは、ＰＣｅｌｌの変更の前のスプリットベアラは、ＰＣｅｌｌの変更後の第２基地局に関連するＭＣＧベアラに変更される。オプションで、ＰＣｅｌｌの変更の間、それらのベアラに対し、その関連する基地局は、ＭＣＧベアラやＰＣｅｌｌの変更の前のスプリットベアラなど、ＰＣｅｌｌの変更の前後で異なっており、ＲＬＣレイヤ及び第１基地局の下位レイヤで既にキャッシュされた又は送信されたデータパケットは、送信が完了するまで、第１基地局において依然として送信される。
【０１０５】
オプションで、ＰＣｅｌｌの変更は、ＵＥのデータベアラのメディアアクセス制御（Media Access Control, 略してMAC）レイヤをリセットすることをスキップすること、ＵＥのデータベアラの無線リンク制御（Radio Link Control, 略してRLC）レイヤを再構成することをスキップすること、及びＵＥのデータベアラのパケットデータコンバージェンスプロトコル（Packet Data Convergence Protocol, 略してPDCP）レイヤを再構成することをスキップすること、を含む。その後、ＰＣｅｌｌの変更の間の連続的なデータスケジューリング及び送信が実行され得、送信中断を低減又は防止することさえ可能であり、リセットや再構成に起因するデータパケット損失、データパケット再送などを防止することができるので、ＰＣｅｌｌの変更の間の遅延に敏感なサービスに対するサービス経験を効果的に向上させることができる。
【０１０６】
シグナリングベアラは、現在のＭｅＮＢによりサービスされるセルにより送信され、ＭｅＮＢが変更される場合、ＵＥはシグナリングベアラのＭＡＣレイヤをリセットし、ＲＬＣレイヤ及びPDCPレイヤを再構成し、シグナリングベアラのセキュリティ鍵及びセキュリティアルゴリズムがソースＭｅＮＢのセキュリティ鍵及びセキュリティアルゴリズムから、ターゲットＭｅＮＢのセキュリティ鍵及びセキュリティアルゴリズムに変更されることは理解され得る。
【０１０７】
オプションで、ＰＣｅｌｌの変更は、各サービング基地局と通信するためにＵＥにより使用される鍵及びセキュリティアルゴリズムは、ＰＣｅｌｌの変更の間及びその後に変更されないうに維持され得、サービング基地局は、ＵＥと無線エアインターフェース接続を確立する少なくとも１つのセルにサービングする基地局であり、サービング基地局は、少なくとも第１基地局を含むことをさらに含む。ターゲットＰＣｅｌｌがＵＥのサービングセルである場合には、第２基地局もまたＵＥのサービング基地局である。ターゲットＰＣｅｌｌがＵＥのサービングセルでないが、第２基地局によりサービスされる別のセルがすでにＵＥのサービングセルである場合には、第２基地局は、ＵＥのサービング基地局である。ターゲットＰＣｅｌｌがＵＥのサービングセルではなく、第２基地局によりサービスされる他のセルがＵＥのサービングセルでない場合には、ターゲットＰＣｅｌｌがＵＥのＳＣｅｌｌとして追加された後にのみ、第２基地局は、ＵＥのサービング基地局となる。この実施形態では、ＵＥは、第１基地局及び第２基地局とは別の基地局とさらに同時に通信し得る。
【０１０８】
オプションで、ＰＣｅｌｌの変更は、ＰＣｅｌｌの変更の間及び／又は変更後に、ソースＰＣｅｌｌとターゲットＰＣｅｌｌ以外の別のサービングセルのアクティブ／インアクティブ状態が変更されないように維持するステップをさらに含む。具体的には、サービングセルが変更前にアクティブ状態である場合には、サービングセルは、変更中及び／又は変更後はアクティブ状態のままであり、サービングセルが変更前にインアクティブ状態である場合には、サービングセルは、変更中及び／又は変更後はインアクティブ状態のままである。このようにして、ＰＣｅｌｌの変更の間、ＵＥと別のサービングセルとの間の継続的なデータ伝送が実施される。
【０１０９】
ＰＣｅｌｌの変更は、ＰＣｅｌｌの変更の完了後、ソースＰＣｅｌｌをアクティブ状態のＳＣｅｌｌに変更すること、及びターゲットＰＣｅｌｌをアクティブ状態のＰＣｅｌｌに変更することを含むことは理解され得る。
【０１１０】
ＰＣｅｌｌの変更は、ＰＣｅｌｌの変更の前に、測定識別子に関連する周波数を、ソースＰＣｅｌｌの周波数から、ＰＣｅｌｌの変更後のターゲットＰＣｅｌｌの周波数に変更することをさらに含むことは理解され得る。
【０１１１】
オプションで、ＰＣｅｌｌの変更は、新たなPUCCH構成をＵＥのターゲットＰＣｅｌｌに適用することをさらに含み、PUCCH構成は、ＰＣｅｌｌの変更を示すために使用されるメッセージにおいてＵＥに搬送される。
【０１１２】
前述のターゲットＰＣｅｌｌをＵＥのＰＣｅｌｌに変更するステップ、及びソースＰＣｅｌｌを、ＵＥのアクティブ状態であるセカンダリセルＳＣｅｌｌに変更するステップに対応する可能な実装は以下のとおりである。
【０１１３】
どのセルにＵＥのＰＣｅｌｌが具体的に対応するかは、ＵＥの属性パラメータＰＣＥＬＬ_IDを使用して識別される。ＰＣｅｌｌの変更の間、属性パラメータＰＣＥＬＬ_IDの値は、１０などのソースＰＣｅｌｌのセル識別子から、２０などの、ターゲットＰＣｅｌｌのセル識別子に変更される。ＵＥと、ＵＥに接続されるセルが、ＵＥのＳＣｅｌｌ又はＰＣｅｌｌに対応するかどうかは、セルの属性パラメータCELL_TYPEを使用することにより識別される。セルがＵＥのＰＣｅｌｌである場合、セルの属性パラメータCELL_TYPEに対応する値は、T_ＰＣＥＬＬである。セルがＵＥのＳＣｅｌｌである場合、セルの対応する属性パラメータCELL_TYPEの値は、T_ＳＣＥＬＬである。ＰＣｅｌｌの変更の間、ソースプライマリセルのセル属性パラメータCELL_TYPEの値は、T_ＰＣＥＬＬからT_ＳＣＥＬＬに変更される。セルのアクティブ／インアクティブ状態は、セルの属性パラメータCELL_STATUSを用いて識別される。ＰＣｅｌｌの変更の間、ソースプライマリセルの属性パラメータCELL_STATUSの値は、常にACTIVEである。上記は、例を使用することにより可能な実装を説明するだけであり、本発明を限定するものではない。
【０１１４】
１０６：ＵＥは、ＰＣｅｌｌの変更完了を示すために使用されるメッセージを第２基地局へ送信する。
【０１１５】
ＰＣｅｌｌの変更完了を示すために使用されるメッセージは、ＰＣｅｌｌの変更の完了メッセージなどの新たなメッセージであってよく、又はＵＥのＰＣｅｌｌの変更の動作が完了したことを示すＲＲＣ接続再構成完了メッセージであってもよい。
【０１１６】
ＰＣｅｌｌの変更完了を示すために使用されるメッセージを第２基地局に送信するためにＵＥにより使用されるリソースは、ターゲットＰＣｅｌｌのアップリンクリソースであることは理解され得る。
【０１１７】
１０７：ＵＥにより送信されたＰＣｅｌｌの変更完了を示すために使用されるメッセージを受信した後、第２基地局は、ＰＣｅｌｌの変更完了を示すために使用されるメッセージ、又はシーケンス番号（SeqＵＥnce Number, 略してSN）状態を要求するために使用されるメッセージを第１基地局に送信する。ＳＮ状態を要求することは、第１基地局からアップリンクＰＤＣＰ ＳＮ受信状態及びダウンリンクＰＤＣＰ ＳＮ送信状態を要求することを含む。
【０１１８】
１０８：ＰＣｅｌｌの変更完了を示すために使用されるメッセージ、又は第２基地局により送信され、ＳＮ状態を要求するために使用されるメッセージを受信した後、第１基地局は、ＳＮ状態遷移メッセージを第２基地局に送信し、そのメッセージは、アップリンクＰＤＣＰ ＳＮ受信状態及びダウンリンクＰＤＣＰ ＳＮ送信状態を搬送する。
【０１１９】
既存のハンドオーバ技術では、ハンドオーバコマンドをＵＥに送信した後、ソース基地局は、ＳＮ状態遷移メッセージをターゲット基地局に送信し、ＳＮ状態遷移を実行する。しかし、本発明では、ＰＣｅｌｌの変更完了を示すために使用されるとともにＵＥにより送信されるメッセージを受信した後、第２基地局は、ＰＣｅｌｌの変更完了を示すために使用されるメッセージ、又はＳＮ状態を要求するために使用されるメッセージを第１基地局に送信し、第１基地局は、第２基地局により送信されたメッセージを受信した後にのみ、ＳＮ状態遷移メッセージを第２基地局に送信する。ＰＣｅｌｌの変更の間、第１基地局がＵＥとデータ伝送を実行しているため、第１基地局がＰＣｅｌｌの変更を示すために使用されるメッセージをＵＥに送信した後に、第１基地局により、ＳＮ状態遷移メッセージを第２基地局に送信する代わりに、このような方法を実行する。この場合において、第１基地局がＳＮ状態遷移を実行する場合、第１基地局は、その後にサービングゲートウェイからデータパケットを再び受信しても、ＣＯＵＮＴ値又はＰＤＣＰシーケンス番号を割り当てることができない。その結果として、第１基地局が、ＣＯＵＮＴ値が割り当てられている既存のデータパケットの送信が完了した後、たとえ、ＣＯＵＮＴ値が割り当てられていないデータパケットがあっても、データパケットは、第１基地局により送信されることができず、第１基地局は、ＳＮ状態遷移メッセージを送信後、ＣＯＵＮＴ値をデータパケットにこれ以上割り当てることができないため、この場合において、第２基地局への接続は確立されず、さらにこのデータパケットの伝送の中断を引き起こす。
【０１２０】
さらに、アップリンクに対し、ＰＤＣＰ ＳＮ受信状態は、第１未受信PDCPデータパケットの少なくとも１つのカウント（COUNT）値、及び対応するＰＤＣＰ受信窓の受信状態を含み得る。ダウンリンクに対し、ＰＤＣＰ ＳＮ送信状態は、シーケンス番号が割り当てられていないダウンリンクデータパケットに、第２基地局により割り当てられたスタートＣＯＵＮＴ値（具体的には、どのＣＯＵＮＴ値から第２基地局がシーケンス番号を割り当てるか）を含み得る。
【０１２１】
オプションで、ＰＣｅｌｌの変更完了を示すために使用されるメッセージ、又はＳＮ状態を要求するために使用されるメッセージを受信した後、第１基地局は、ＰＤＣＰシーケンス番号のスプリットベアラのデータパケットへの割り当てを停止する。
【０１２２】
オプションで、第１基地局は、受信したアップリンクデータパケットを第２基地局に転送し、シーケンス番号が既に割り当てられ、ＵＥへの正常な送信でアクノリッジされなかったダウンリンクデータパケットと、サービングゲートウェイから受信された、シーケンス番号が割り当てられていないダウンリンクデータパケットを第２基地局に転送する。
【０１２３】
１０９：第２基地局は、Ｓ１経路切り換え要求メッセージをＭＭＥに送信して、ＭＭＥにＳ１-ＭＭＥインターフェース及びスプリットベアラのＳ１-U経路を、第２基地局に切り換えるように要求するので、第２基地局は、新たなＭｅＮＢに変更され、続いてＭＭＥは、Ｓ１シグナリングを新たなＭｅＮＢに送信し、Ｓ−ＧＷは、スプリットベアラのダウンリンクデータを新たなＭｅＮＢに送信できる。
【０１２４】
１１０：ＭＭＥは、Ｓ１経路切り換え要求アクノリッジメッセージを第２基地局に送信してＳ１経路切り換え要求メッセージにアクノリッジする。
【０１２５】
本発明のこの実施形態では、上述のステップ１０７と１０９の実行順序は限定されない。
【０１２６】
前述部分における動作の後に、ＵＥのターゲットＰＣｅｌｌは、ＵＥの現在の新たなＰＣｅｌｌに変更され、ＵＥのソースＰＣｅｌｌは、ＵＥのアクティブ状態であるＳＣｅｌｌに変更され、第２基地局は、ＵＥの現在の新たなＭｅＮＢに変更され、第１基地局は、ＵＥのSeNBに変更される。さらに、ＰＣｅｌｌの変更の全体の処理において、ＵＥとネットワーク間のデータ伝送は中断されない。
【０１２７】
ＰＣｅｌｌの変更の間、第１基地局及び第２基地局におけるデータ伝送は中断されず、ＵＥはいつでもスケジュールされ得る。したがって、ＵＥは、第１基地局がＰＣｅｌｌの変更を示すために使用されるメッセージをＵＥに送信する処理において、ＲＲＣシグナリングを第１基地局に送信し得るが、ＵＥはそのメッセージを処理していない。この場合、ＲＲＣシグナリングを受信した後、第１基地局は、２つの様式により処理を実行する：１つは、ＲＲＣシグナリングを第２基地局に転送すること、他方はそのメッセージを破棄すること。
【０１２８】
図１に示す実施形態における方法が、デュアルコネクティビティ（Dual Connectivity, 略してDC）又はＣＡシナリオを一例として使用することにより説明されるが、これはこの実施形態が適用可能なシナリオを限定するものではない。この実施形態における方法は、シングルキャリアシナリオにも適用可能である。シングルキャリアシナリオでは、ＵＥは、ただ１つのサービングセルを有する。サービングセルは、代わりにソースＰＣｅｌｌとして理解されてもよい。サービングセルの変更は、ＰＣｅｌｌの変更として理解される。ターゲットサービングセルは、ターゲットＰＣｅｌｌとして理解される。これに対応して、図１に示す実施形態における方法を用いることにより、シングルキャリアシナリオにおける基地局間サービングセルの変更が実施され得る。シングルキャリアシナリオに対し、サービングセルを変更する前は、ターゲットサービングセルは、ＵＥのサービングセルではない。図１に示されている基地局間サービングセルの変更手順の後、ＵＥは、シングルキャリアモードからＤＣモードに入り、ターゲットサービングセルはＵＥのＰＣｅｌｌに変更され、ＵＥのソースサービングセルは、ＵＥのアクティブ状態であるＳＣｅｌｌに変更され、第２基地局は、ＵＥのＭｅＮＢに変更され、第１基地局は、ＵＥのＳｅＮＢに変更される。サービングセルの変更の全体の処理において、ＵＥとネットワーク間のデータ伝送は中断されない。
【０１２９】
図２に示されるように、図２は、本発明の実施形態による可能な基地局内ＰＣｅｌｌの変更の概略フローチャートである。
【０１３０】
２０１：第１基地局は、ＵＥのＰＣｅｌｌの変更の実行を決定し、ＰＣｅｌｌの変更のターゲットＰＣｅｌｌ及びソースＰＣｅｌｌが同じ基地局に属していることを判定する。ソースＰＣｅｌｌは、ＵＥがＰＣｅｌｌの変更を実行する前にＵＥにサービスを提供するＰＣｅｌｌである。第１基地局は、ソースＰＣｅｌｌが属する基地局である。
【０１３１】
２０２：第１基地局は、ＰＣｅｌｌの変更を示すために使用されるメッセージをＵＥに送信し、ＰＣｅｌｌを第１基地局によりサービスされる別のサービングセルに変更することを要求する。ＰＣｅｌｌの変更を示すために使用されるメッセージは、ターゲットＰＣｅｌｌに関する情報、例えば、ターゲットＰＣｅｌｌのセル識別子又はインデックスである。
【０１３２】
ＰＣｅｌｌの変更を示すために使用されるメッセージは、ＰＣｅｌｌの変更メッセージ、又はＰＣｅｌｌの変更インジケーションを搬送するＲＲＣ接続再構成メッセージであり得、ＵＥが、ハンドオーバを通じてではなく修正を通じてＰＣｅｌｌの変更を実行することを示す。具体的には、ＰＣｅｌｌの変更が修正を通じて実行されることは、ＵＥと、ソースＰＣｅｌｌ及びターゲットＰＣｅｌｌとの間の無線接続は、ＰＣｅｌｌの変更の間、中断されずに維持され、第１基地局及び第２基地局は、ＰＣｅｌｌの変更の間、ＵＥのデータをスケジュールすることができることを含む。ＰＣｅｌｌの変更を示すために使用されるメッセージは、代わりに別のタイプのメッセージであってもよいことは理解され得る。これは本発明では限定されない。
【０１３３】
オプションで、第１基地局により使用される鍵及びセキュリティアルゴリズムは、ＰＣｅｌｌの変更の間及びその後に変更されないように維持され得、これによりＰＣｅｌｌの変更の間のデータ伝送への影響を減少する。
【０１３４】
２０３：ＵＥは、第１基地局から受信されたＰＣｅｌｌの変更を示すために使用されるメッセージに基づいて、ＰＣｅｌｌの変更を実行する。ＰＣｅｌｌの変更は、ターゲットＰＣｅｌｌをＵＥのＰＣｅｌｌに変更するステップと、ソースＰＣｅｌｌを、ＵＥの、アクティブ状態にあるセカンダリセルＳＣｅｌｌに変更するステップとを含む。
【０１３５】
オプションで、ＰＣｅｌｌの変更を示すために使用されるメッセージを受信した後、ＵＥは、ターゲットＰＣｅｌｌがＵＥのサービングセルであるかどうかを判定する。ターゲットＰＣｅｌｌがＵＥのサービングセルである場合には、ＵＥは、ＰＣｅｌｌの変更の処理を実行し、ＰＣｅｌｌの変更の間、ＵＥは、第１基地局とのデータ伝送の実行を継続し得る。ＰＣｅｌｌの変更の前に、ターゲットＰＣｅｌｌは、既にＵＥのサービングセルであり、ＵＥは、ターゲットＰＣｅｌｌの利用可能なＴＡ値を維持する。ＰＣｅｌｌの変更の間、又はＰＣｅｌｌの変更の後、ＵＥは、ターゲットＰＣｅｌｌの現在のTA値の使用を継続し得、ターゲットＰＣｅｌｌでランダムアクセスプロセスを開始する必要がないので、ＰＣｅｌｌの変更のプロセスをより早く完了させることができる。ターゲットＰＣｅｌｌがＵＥのサービングセルでない場合には、ＵＥは、まずＵＥのセカンダリセルＳＣｅｌｌとしてターゲットＰＣｅｌｌを追加し、その後、ＰＣｅｌｌの変更のプロセスを実行する。ＰＣｅｌｌの変更の間、ＵＥのＳＣｅｌｌとしてターゲットＰＣｅｌｌを追加する処理では、ＵＥは、第１基地局とのデータ伝送の実行を継続し得る。ＵＥのＳＣｅｌｌとしてターゲットＰＣｅｌｌを追加する処理において、ソースＰＣｅｌｌのＴＡ値を、ターゲットＰＣｅｌｌのＴＡ値として使用することができ、ターゲットＰＣｅｌｌでランダムアクセスプロセスを開始してターゲットＰＣｅｌｌのＴＡ値を取得する必要がないことは理解され得る。
【０１３６】
ＰＣｅｌｌの変更の後、ソースＰＣｅｌｌ及びターゲットＰＣｅｌｌは、双方ともＵＥのサービングセルであり、双方とも第１基地局に属していることは理解され得る。ソースＰＣｅｌｌ及びターゲットＰＣｅｌｌは、ＣＡ様式でＵＥをサービスし、したがって、ＵＥに対して少なくともＣＡが構成されていることと同等である。
【０１３７】
従来技術では、ＵＥのＰＣｅｌｌが変更されると、ＵＥのＰＣｅｌｌは、従来技術におけるハンドオーバを通じてソースＰＣｅｌｌからターゲットＰＣｅｌｌにハンドオーバし、ＵＥとネットワーク側との間のデータ伝送は、ハンドオーバ処理において中断されない。しかし、本発明のこの実施形態において提供されるＰＣｅｌｌの変更の方法によれば、ＵＥのＰＣｅｌｌは、修正を通じてソースＰＣｅｌｌからターゲットＰＣｅｌｌに変更される。具体的には、ＰＣｅｌｌの変更が修正を通じて実行されることは、ＵＥと、ソースＰＣｅｌｌ及びターゲットＰＣｅｌｌとの間の無線接続は、ＰＣｅｌｌの変更の間、中断されずに維持され、第１基地局は、ＰＣｅｌｌの変更の間、ＵＥのデータをスケジュールすることができることを含む。
【０１３８】
オプションで、ＰＣｅｌｌの変更は、ＵＥのデータベアラのＭＡＣレイヤをリセットすることをスキップすること、ＵＥのデータベアラのＲＬＣレイヤを再構成することをスキップすること、及びＵＥのデータベアラのＰＤＣＰレイヤを再構成することをスキップすること、をさらに含む。その後、ＰＣｅｌｌの変更の間の連続的なデータスケジューリング及び送信が実行され得、送信中断を低減又は防止することさえ可能であり、リセットや再構成に起因するデータパケット損失、データパケット再送などを防止することができるので、ＰＣｅｌｌの変更の間の遅延に敏感なサービスに対するサービス経験を効果的に向上させることができる。
【０１３９】
シグナリングベアラは、現在のＰＣｅｌｌにより送信されるが、この実施形態において、ソースＰＣｅｌｌ及びターゲットＰＣｅｌｌは、同じ基地局に属しており、シグナリングベアラのセキュリティ鍵及びセキュリティアルゴリズムは変更されずに維持され、したがって、シグナリングベアラのＭＡＣレイヤは、代わりに、リセットされなくてもよく、ＲＬＣレイヤ及びPDCPレイヤは、代わりに、再構成されなくてもよいことは理解され得る。
【０１４０】
オプションで、ＰＣｅｌｌの変更は、ＵＥが各サービング基地局と通信するために使用される鍵及びセキュリティアルゴリズムがＰＣｅｌｌの変更の間及びその後に変更されないように維持するステップをさらに含み、サービング基地局は、ＵＥと無線エアインターフェース接続を確立する少なくとも１つのセルにサービングする基地局である。この実施形態では、第１基地局は、ＵＥと通信する。しかし、ＵＥは、同時にさらに別の基地局と通信し得る。オプションで、ＰＣｅｌｌの変更は、ＰＣｅｌｌの変更の間及び／又は変更後に、ソースＰＣｅｌｌとターゲットＰＣｅｌｌ以外の別のサービングセルのアクティブ／インアクティブ状態が変更されないように維持するステップをさらに含む。具体的には、変更前にサービングセルがアクティブ状態である場合には、サービングセルは変更中及び／又は変更後はアクティブ状態のままであり、サービングセルが変更前にインアクティブ状態である場合には、サービングセルは、変更中及び／又は変更後はインアクティブ状態のままである。このようにして、ＰＣｅｌｌの変更の間、ＵＥと別のサービングセルとの間の継続的なデータ伝送が実施される。
【０１４１】
ＰＣｅｌｌの変更は、ＰＣｅｌｌの変更の完了後、ソースＰＣｅｌｌをアクティブ状態のＳＣｅｌｌに変更すること、及びターゲットＰＣｅｌｌをアクティブ状態のＰＣｅｌｌに変更することを含むことは理解され得る。
【０１４２】
オプションで、ＰＣｅｌｌの変更は、ＰＣｅｌｌの変更の前に、測定識別子に関連する周波数を、ソースＰＣｅｌｌの周波数から、ＰＣｅｌｌの変更後のターゲットＰＣｅｌｌの周波数に変更することをさらに含む。
【０１４３】
オプションで、ＰＣｅｌｌの変更は、新たなPUCCH構成をＵＥのターゲットＰＣｅｌｌに適用することをさらに含み、PUCCH構成は、ＰＣｅｌｌの変更を示すために使用されるメッセージにおいてＵＥに搬送される。
【０１４４】
２０４：ＵＥは、ＰＣｅｌｌの変更完了を示すために使用されるメッセージを第１基地局に送信する。
【０１４５】
ＰＣｅｌｌの変更完了を示すために使用されるメッセージは、ＰＣｅｌｌの変更の完了メッセージなどの新たなメッセージであってよく、又はＵＥのＰＣｅｌｌの変更の動作が完了したことを示すＲＲＣ接続再構成完了メッセージであってもよい。
【０１４６】
ＰＣｅｌｌの変更完了を示すために使用されるメッセージを第１基地局に送信するためにＵＥにより使用されるリソースは、ターゲットＰＣｅｌｌのアップリンクリソースであることは理解され得る。
【０１４７】
前述部分における動作の後に、ＵＥのターゲットＰＣｅｌｌは、ＵＥの現在の新たなＰＣｅｌｌに変更され、ＵＥのソースＰＣｅｌｌは、ＵＥのアクティブ状態であるＳＣｅｌｌに変更される。ＰＣｅｌｌの変更の全体の処理において、ＵＥとネットワーク間のデータ伝送は中断されない。
【０１４８】
図１に示される実施形態における方法がキャリアアグリゲーション（Carrier Aggregation, 略してCA）シナリオ又はDCシナリオを一例として使用することにより説明されるが、これはこの実施形態が適用可能なシナリオを限定するものではない。この実施形態における方法は、シングルキャリアシナリオにも適用可能である。シングルキャリアシナリオでは、ＵＥは、ただ１つのサービングセルを有する。サービングセルは、代わりにソースＰＣｅｌｌとして理解されてもよい。サービングセルの変更は、ＰＣｅｌｌの変更として理解される。ターゲットサービングセルは、ターゲットＰＣｅｌｌとして理解される。これに対応して、図１に示す実施形態における方法を用いることにより、シングルキャリアシナリオにおける基地局内サービングセルの変更が実施され得る。シングルキャリアシナリオに対し、サービングセルを変更する前は、ターゲットサービングセルは、ＵＥのサービングセルではない。図２に示されている基地局内サービングセルの変更手順の後、ＵＥは、シングルキャリアモードからＣＡモードに入り、ターゲットサービングセルはＵＥのＰＣｅｌｌに変更され、ＵＥのソースサービングセルは、ＵＥのアクティブ状態であるＳＣｅｌｌに変更される。サービングセルの変更の全体の処理において、ＵＥとネットワーク間のデータ伝送は中断されない。
【０１４９】
従来技術に属し、図１及び図２の実施形態において提供されるいくつかの特定のメッセージ及び情報要素については、具体的には、3GPP 36.300 V13.1.0プロトコルを参照する。
【０１５０】
以上の説明は、主にネットワーク要素間の相互作用の観点から、本発明の実施形態において提供されるソリューションを説明するものである。前述の機能を実施するために、ＵＥ、基地局、及びＭＭＥなどのネットワーク要素は、その機能を実行する対応するハードウェア構造及び／又はソフトウェアモジュールを含むことは理解され得る。当業者であれば、本明細書で開示された実施形態の各例と組み合わせて説明されたユニット及びソリューションのステップが、コンピュータソフトウェア、ハードウェア、又はハードウェアとコンピュータソフトウェアの組み合わせの形態で実施できることを容易に認識しすべきである。機能が、ハードウェア、コンピュータソフトウェア、又はコンピュータソフトウェアにより駆動されるハードウェアのモードで実行されるかどうかは、技術的解決策の特定のアプリケーション及び設計条件に依存する。当業者であれば、それぞれの特定の用途のために説明された機能を実施するために異なる方法を使用することができるが、その実施が本発明の範囲を超えていると考えるべきではない。
【０１５１】
図３は、本発明の実施形態によるＵＥの可能な装置構造の概略図である。ＵＥは、図１及び／又は図２の実施形態におけるＵＥの機能を実装し、したがって、図１及び／又は図２の実施形態において提供される方法によって達成され得る有益な効果を達成することもできる。ＵＥは、具体的には、送受信機３０１とプロセッサ３０２とを含む。
【０１５２】
送受信機３０１は、ＰＣｅｌｌの変更を示すために使用されるメッセージを、第１基地局から受信するように構成されている。第１基地局は、ＵＥのソースＰＣｅｌｌが属する基地局であり、ＰＣｅｌｌの変更を示すために使用されるメッセージは、ターゲットＰＣｅｌｌに関する情報を搬送する。
【０１５３】
プロセッサ３０２は、ＰＣｅｌｌの変更を示すために使用される受信したメッセージに基づいて、ＰＣｅｌｌの変更を実行するように構成されている。ＰＣｅｌｌの変更は、ターゲットＰＣｅｌｌをＵＥのＰＣｅｌｌに変更するステップと、ソースＰＣｅｌｌをＵＥのアクティブ状態であるＳＣｅｌｌに変更するステップとを含む。
【０１５４】
送受信機３０１は、ＰＣｅｌｌの変更完了を示すために使用されるメッセージを第１基地局又は第２基地局に送信するようにさらに構成されており、第２基地局は、ターゲットＰＣｅｌｌが属する基地局である。
【０１５５】
さらに、ＰＣｅｌｌの変更を示すために使用され、送受信機３０１により受信されるメッセージは、ＵＥが、ハンドオーバを通じてではなく修正を通じてＰＣｅｌｌの変更を実行することを示すＰＣｅｌｌの変更メッセージ、又はＰＣｅｌｌの変更インジケーションを搬送するＲＲＣ接続再構成メッセージであり得る。
【０１５６】
さらに、ＰＣｅｌｌの変更完了を示すために使用され、送受信機３０１により送信されるメッセージは、ＰＣｅｌｌの変更の完了メッセージなどの新たなメッセージであってよく、又はＵＥのＰＣｅｌｌの変更の動作が完了したことを示すＲＲＣ接続再構成完了メッセージであってもよい。
【０１５７】
オプションで、ＰＣｅｌｌの変更を示すために使用されるメッセージを受信した後、プロセッサ３０２は、ターゲットＰＣｅｌｌがＵＥのサービングセルであるかどうかを判定する。ターゲットＰＣｅｌｌがＵＥのサービングセルである場合には、プロセッサ３０２はＰＣｅｌｌの変更の処理を実行する。ＰＣｅｌｌの変更の間、送受信機３０１は、第１基地局との、又は第１基地局及び第２基地局とのデータ伝送の実行を継続し得る。ターゲットＰＣｅｌｌがＵＥのサービングセルでない場合には、プロセッサ３０２は、まずターゲットＰＣｅｌｌをＵＥのセカンダリセルＳＣｅｌｌとして追加し、その後ＰＣｅｌｌの変更のプロセスを実行する。ＰＣｅｌｌの変更の間に、ターゲットＰＣｅｌｌをＵＥのＳＣｅｌｌとして追加する処理では、送受信機３０１は、第１基地局との、又は第１基地局及び第２基地局とのデータ伝送の実行を継続し得る。
【０１５８】
オプションで、プロセッサ３０２は、ＵＥのデータベアラのＭＡＣレイヤをリセットすることをスキップし、ＵＥのデータベアラのＲＬＣレイヤを再構成することをスキップし、ＵＥのデータベアラのＰＤＣＰレイヤを再構成することをスキップするようにさらに構成されている。その後、ＰＣｅｌｌの変更の間の連続的なデータスケジューリング及び送信が実行され得、送信中断を低減又は防止することさえ可能であり、リセットや再構成に起因するデータパケット損失、データパケット再送などを防止することができるので、ＰＣｅｌｌの変更の間の遅延に敏感なサービスに対するサービス経験を効果的に向上させることができる。
【０１５９】
オプションで、プロセッサ３０２は、ＰＣｅｌｌの変更の間及びその後に各サービング基地局と通信するために使用される鍵及びセキュリティアルゴリズムが変更されないように維持するようにさらに構成され、サービング基地局は、ＵＥと無線エアインターフェース接続を確立する少なくとも１つのセルにサービングする基地局であり、サービング基地局は、少なくとも第１基地局を含む。
【０１６０】
オプションで、プロセッサ３０２は、ソースＰＣｅｌｌ及びターゲットＰＣｅｌｌが同じ基地局に属しているかどうかを判定するようにさらに構成されている。ソースＰＣｅｌｌ及びターゲットＰＣｅｌｌが同じ基地局に属していない場合には、プロセッサ３０２は、第１基地局をセカンダリｅＮｏｄｅＢ（Secondary eNB, 略してSeNB）として使用し、第２基地局をマスターｅＮｏｄｅＢ（Master eNB, 略してMeNB）として使用する。対応するプライマリセルグループ（Master Cell Group, 略してMCG）ベアラ及びセカンダリセルグループ（Secondary Cell Group, 略してSCG）ベアラは、代わりに、対応して変更されてもよく、第１基地局に関連するベアラタイプをＭＣＧベアラからSCGベアラに変更し、第２基地局に関連するベアラタイプをSCGベアラからＭＣＧベアラに変更する。
【０１６１】
オプションで、プロセッサ３０２は、ソースＰＣｅｌｌ及びターゲットＰＣｅｌｌが同じ基地局に属しているかどうかを判定し、ソースＰＣｅｌｌ及びターゲットＰＣｅｌｌが同じ基地局に属している場合には、ＵＥのデータベアラのＭＡＣレイヤをリセットすることをスキップし、ＵＥのデータベアラのＲＬＣレイヤを再構成することをスキップし、及びＵＥのデータベアラのＰＤＣＰレイヤを再構成することをスキップするようにさらに構成されている。
【０１６２】
オプションで、送受信機３０１は、ＰＣｅｌｌの変更の間及び／又は変更後に、ＰＣｅｌｌの変更の前のターゲットＰＣｅｌｌのタイミングアドバンスＴＡ値の使用を継続することにより、ターゲットＰＣｅｌｌと通信するようにさらに構成されており、ランダムアクセスプロセスを使用することによりＴＡ値を再び取得する必要がない。
【０１６３】
オプションで、プロセッサ３０２は、ＰＣｅｌｌの変更の間及び／又は変更後に、ソースＰＣｅｌｌとターゲットＰＣｅｌｌ以外の別のサービングセルのアクティブ／インアクティブ状態が変更されないように維持するようにさらに構成されている。
【０１６４】
さらに、本発明のこの実施形態におけるＵＥは、図１及び／又は図２の方法の実施形態におけるＵＥにより実行される方法においてステップ／動作（behavior）を実施する。ＵＥの各部の機能は前述の方法の実施形態の方法に従って具体的に実施され得る。機能の特定の実施プロセスについては、前述の方法の実施形態における関連説明を参照されたい。
【０１６５】
図３は、ＵＥの１つの設計のみを示していることが理解され得る。実際のアプリケーションでは、ＵＥは、任意の数の送受信機及びプロセッサを含み得、本発明を実施できるすべてのＵＥは、本発明の保護範囲に入る。
【０１６６】
図４は、本発明の実施形態による第１基地局の可能な装置構造の概略図である。第１基地局は、図１及び／又は図２の実施形態における第１基地局の機能を実装し、したがって、図１及び／又は図２の実施形態において提供される方法により達成可能な有益な効果を達成することもできる。第１基地局は、ＵＥのソースＰＣｅｌｌが属する基地局である。第１基地局は、具体的には、送受信機４０１と、プロセッサ４０２とを含む。
【０１６７】
プロセッサ４０２は、プライマリセルＰＣｅｌｌの変更の実行を決定し、ターゲットＰＣｅｌｌを決定するように構成されている。
【０１６８】
送受信機４０１は、ＰＣｅｌｌの変更を示すために使用されるメッセージをＵＥに送信するように構成され、ＰＣｅｌｌの変更を示すために使用されるメッセージは、ターゲットＰＣｅｌｌに関する情報を搬送し、ＰＣｅｌｌの変更は、ターゲットＰＣｅｌｌをＵＥのＰＣｅｌｌに変更するステップと、ソースＰＣｅｌｌをＵＥの、アクティブ状態にあるセカンダリセルＳＣｅｌｌに変更するステップとを含む。
【０１６９】
ＰＣｅｌｌの変更を示すために使用され、送受信機４０１により送信されるメッセージは、ＰＣｅｌｌの変更メッセージ、又はＰＣｅｌｌの変更インジケーションを搬送するＲＲＣ接続再構成メッセージであってよい。
【０１７０】
プロセッサ４０２は、ＵＥからのアップリンクデータを復号し、ＵＥに送信されるダウンリンクデータを暗号化するようにさらに構成されている。オプションで、プロセッサ４０２により使用される鍵及びセキュリティアルゴリズムはＰＣｅｌｌの変更の間及びその後に変更されずに維持される。
【０１７１】
オプションで、基地局内ＰＣｅｌｌの変更シナリオにおいて、送受信機４０１は、ＰＣｅｌｌの変更完了を示すために使用されるメッセージをＵＥから受信するようにさらに構成されている。ＰＣｅｌｌの変更完了を示すために使用されるメッセージは、ＰＣｅｌｌの変更の完了メッセージなどの新たなメッセージであってよく、又はＵＥのＰＣｅｌｌの変更の動作が完了したことを示すＲＲＣ接続再構成完了メッセージであってもよい。
【０１７２】
オプションで、基地局間ＰＣｅｌｌの変更シナリオにおいて、送受信機４０１は、ＰＣｅｌｌの変更を示すために使用される要求メッセージを第２基地局に送信するように構成されており、第２基地局は、ターゲットＰＣｅｌｌが属する基地局である。ＰＣｅｌｌの変更を示すために使用される要求メッセージは、ターゲットＰＣｅｌｌに関する情報、例えば、ターゲットＰＣｅｌｌのセル識別子又はインデックスを搬送する。ＰＣｅｌｌの変更を示すために使用される要求メッセージは、ＰＣｅｌｌの変更要求メッセージ、又はＰＣｅｌｌの変更インジケーションを搬送するハンドオーバ要求メッセージであり得、ＰＣｅｌｌの変更が修正を通じて実行されることを示す。
【０１７３】
オプションで、基地局間ＰＣｅｌｌの変更シナリオにおいて、送受信機４０１は、第２基地局により送信されたアクノリッジメッセージを受信するようにさらに構成されており、アクノリッジメッセージは、ＰＣｅｌｌの変更を示すために使用されるとともに第１基地局により第２基地局へ送信される要求メッセージをアクノリッジするために使用される。
【０１７４】
オプションで、基地局間ＰＣｅｌｌの変更シナリオにおいて、送受信機４０１は、ＰＣｅｌｌの変更完了を示すために使用されるメッセージ、又はＳＮ状態を要求するために使用されるとともに第２基地局により送信されるメッセージを受信するようにさらに構成されており、ＳＮ状態を要求するために使用されるメッセージは、第１基地局から、アップリンク・パケットデータコンバージェンスプロトコル（ＰＤＣＰ）ＳＮ受信状態及びダウンリンクＰＤＣＰ ＳＮ送信状態を要求するために使用される。
【０１７５】
オプションで、基地局間ＰＣｅｌｌの変更シナリオにおいて、送受信機４０１は、ＳＮ状態遷移メッセージを第２基地局に送信するようにさらに構成され、ＳＮ状態遷移メッセージは、アップリンクＰＤＣＰ ＳＮ受信状態及びダウンリンクＰＤＣＰ ＳＮ送信状態を搬送し、ＳＮ状態遷移メッセージは、送受信機４０１がＰＣｅｌｌの変更完了を示すために使用されるメッセージ又はＳＮ状態を要求するために使用されるメッセージを受信した後に、送受信機４０１により送信される。
【０１７６】
さらに、本発明のこの実施形態における第１基地局は、図１及び／又は図２の方法の実施形態における第１基地局により実行される方法におけるステップ／動作を実施する。第１基地局の各部の機能は、前述の方法の実施形態の方法に従って具体的に実施され得る。機能の特定の実施プロセスについては、前述の方法の実施形態における関連説明を参照されたい。
【０１７７】
図４は、第１基地局の１つの設計のみを示すことは理解され得る。実際のアプリケーションでは、第１基地局は、任意の数の送受信機及びプロセッサを含み得、本発明を実施できるすべての第１基地局は、本発明の保護範囲に入る。
【０１７８】
図５は、本発明の実施形態による第２基地局の可能な装置構造の概略図である。第２基地局は、図１の実施形態における第２基地局の機能を実装し、したがって、図１の実施形態において提供される方法により達成可能な有益な効果を達成することもできる。第２基地局は、ＵＥのターゲットＰＣｅｌｌが属する基地局である。
【０１７９】
第２基地局は、具体的には、送受信機５０１を含む。送受信機５０１は、第１基地局により送信されるとともにプライマリセル（ＰＣｅｌｌ）の変更を示すために使用される要求メッセージを受信するように構成され、第１基地局は、ＵＥのソースＰＣｅｌｌが属する基地局であり、ＰＣｅｌｌの変更を示すために使用される要求メッセージは、ターゲットＰＣｅｌｌに関する情報を搬送し、ＰＣｅｌｌの変更は、ターゲットＰＣｅｌｌをＵＥのＰＣｅｌｌに変更するステップと、ソースＰＣｅｌｌをＵＥのアクティブ状態にあるセカンダリセルＳＣｅｌｌに変更するステップとを含む。
【０１８０】
送受信機５０１は、アクノリッジメッセージを第１基地局に送信して、ＰＣｅｌｌの変更を示すために使用されるとともに第１基地局により第２基地局へ送信される要求メッセージをアクノリッジするようにさらに構成されている。
【０１８１】
さらに、ＰＣｅｌｌの変更を示すために使用されるとともに、送受信機５０１により受信される要求メッセージは、ＰＣｅｌｌの変更要求メッセージ、又はＰＣｅｌｌの変更インジケーションを搬送するハンドオーバ要求メッセージであり得、ＰＣｅｌｌの変更が修正を通じて実行されることを示す。
【０１８２】
オプションで、送受信機５０１により第１基地局に送信されたアクノリッジメッセージは、スプリットベアラ（split bearer）の第２ＧＴＰトンネル情報を搬送し得、Ｓ１経路切り換え後に、第１基地局により復号されるとともに送信されるアップリンクデータパケットを第２基地局に伝送する。アップリンクデータパケットは送受信機５０１によりサービングゲートウェイ（Serving Gateway, 略してS-GW）に転送される。
【０１８３】
オプションで、送受信機５０１は、ＰＣｅｌｌの変更完了を示すために使用され、ＵＥにより送信されるメッセージを受信するようにさらに構成されている。ＰＣｅｌｌの変更完了を示すために使用されるメッセージは、ＰＣｅｌｌの変更の完了メッセージなどの新たなメッセージであってよく、又はＵＥのＰＣｅｌｌの変更の動作が完了したことを示すＲＲＣ接続再構成完了メッセージであってもよい。
【０１８４】
オプションで、送受信機５０１は、ＰＣｅｌｌの変更完了を示すために使用されるメッセージ、又はＳＮ状態を要求するために使用されるメッセージを第１基地局に送信するようにさらに構成されている。ＳＮ状態を要求することは、第１基地局からアップリンクＰＤＣＰ ＳＮ受信状態及びダウンリンクＰＤＣＰ ＳＮ 送信状態を要求することを含む。ＰＣｅｌｌの変更完了を示すために使用されるメッセージ又はＳＮ状態を要求するために使用されるメッセージは、送受信機５０１がＰＣｅｌｌの変更完了を示すために使用されるメッセージをＵＥから受信した後、送受信機５０１により送信される。
【０１８５】
オプションで、送受信機５０１は、第１基地局からＳＮ状態遷移メッセージを受信するようにさらに構成され、メッセージは、アップリンクＰＤＣＰ ＳＮ受信状態及びダウンリンクＰＤＣＰ ＳＮ送信状態を搬送する。
【０１８６】
第２基地局は、プロセッサ502をさらに含み、プロセッサ５０２は、ＵＥからのアップリンクデータを復号し、ＵＥに送信されるダウンリンクデータを暗号化し、ＰＣｅｌｌの変更の間及びその後に、プロセッサ５０２により使用される鍵及びセキュリティアルゴリズムが変更されないように維持するように構成されていることは理解され得る。
【０１８７】
さらに、本発明のこの実施形態における第１基地局は、図１の方法の実施形態における第２基地局により実行される方法のステップ／動作を実施する。第１基地局の各部の機能は、前述の方法の実施形態における方法に従って具体的に実施され得る。機能の特定の実施プロセスについては、前述の方法の実施形態における関連説明を参照されたい。
【０１８８】
図５は、第２基地局の１つの設計のみを示すことは理解され得る。実際のアプリケーションでは、第２基地局は、任意の数の送受信機及びプロセッサを含み得、本発明を実施できるすべての第２基地局は、本発明の保護範囲に入る。
【０１８９】
図６は、本発明の実施形態によるＵＥの別の可能な装置構造の概略図である。ＵＥは、図１及び／又は図２の実施形態におけるＵＥの機能を実装し、したがって、図１及び／又は図２の実施形態において提供される方法により達成可能な有益な効果を達成することもできる。ＵＥは、具体的には、送受信ユニット６０１と、処理ユニット６０２とを含む。
【０１９０】
送受信ユニット６０１は、第１基地局からＰＣｅｌｌの変更を示すために使用されるメッセージを受信するように構成されている。第１基地局は、ＵＥのソースＰＣｅｌｌが属する基地局であり、ＰＣｅｌｌの変更を示すために使用されるメッセージは、ターゲットＰＣｅｌｌに関する情報を搬送する。
【０１９１】
処理ユニット６０２は、ＰＣｅｌｌの変更を示すために使用される受信したメッセージに基づいて、ＰＣｅｌｌの変更を実行するように構成されている。ＰＣｅｌｌの変更は、ターゲットＰＣｅｌｌをＵＥのＰＣｅｌｌに変更するステップと、ソースＰＣｅｌｌをＵＥのアクティブ状態にあるＳＣｅｌｌに変更するステップとを含む。
【０１９２】
送受信ユニット６０１は、ＰＣｅｌｌの変更完了を示すために使用されるメッセージを第１基地局又は第２基地局に送信するようにさらに構成されており、第２基地局は、ターゲットＰＣｅｌｌが属する基地局である。
【０１９３】
さらに、ＰＣｅｌｌの変更を示すために使用されるとともに送受信ユニット６０１により受信されるメッセージは、ＰＣｅｌｌの変更メッセージ、又はＰＣｅｌｌの変更インジケーションを搬送するＲＲＣ接続再構成メッセージであり得、ＵＥが、ハンドオーバを通じてではなく修正を通じてＰＣｅｌｌの変更を実行することを示す。
【０１９４】
さらに、ＰＣｅｌｌの変更完了を示すために使用されるとともに送受信ユニット６０１により送信されるメッセージは、ＰＣｅｌｌの変更の完了メッセージなどの新たなメッセージであってよく、又はＵＥのＰＣｅｌｌの変更の動作が完了したことを示すＲＲＣ接続再構成完了メッセージであってもよい。
【０１９５】
オプションで、ＰＣｅｌｌの変更を示すために使用されるメッセージを受信した後、処理ユニット６０２は、ターゲットＰＣｅｌｌがＵＥのサービングセルであるかどうかを判定する。ターゲットＰＣｅｌｌがＵＥのサービングセルである場合には、処理ユニット６０２は、ＰＣｅｌｌの変更の処理を実行する。ＰＣｅｌｌの変更の間、送受信ユニット６０１は、第１基地局との、又は第１基地局及び第２基地局とのデータ伝送の実行を継続し得る。ターゲットＰＣｅｌｌがＵＥのサービングセルでない場合には、処理ユニット６０２は、まずターゲットＰＣｅｌｌをＵＥのセカンダリセルＳＣｅｌｌとして追加し、その後、ＰＣｅｌｌの変更のプロセスを実行する。ＰＣｅｌｌの変更の間に、ターゲットＰＣｅｌｌをＵＥのＳＣｅｌｌとして追加する処理において、送受信ユニット６０１は、第１基地局との、又は第１基地局及び第２基地局とのデータ伝送の実行を継続し得る。
【０１９６】
オプションで、処理ユニット６０２は、ＵＥのデータベアラのＭＡＣレイヤをリセットすることをスキップし、ＵＥのデータベアラのＲＬＣレイヤを再構成することをスキップし、及びＵＥのデータベアラのＰＤＣＰレイヤを再構成することをスキップするようにさらに構成されている。その後、ＰＣｅｌｌの変更の間の連続的なデータスケジューリング及び送信が実行され得、送信中断を低減又は防止することさえ可能であり、リセットや再構成に起因するデータパケット損失、データパケット再送などを防止することができるので、ＰＣｅｌｌの変更の間の遅延に敏感なサービスに対するサービス経験を効果的に向上させることができる。
【０１９７】
オプションで、処理ユニット６０２は、ＰＣｅｌｌの変更の間及びその後に、各サービング基地局と通信するために使用される鍵及びセキュリティアルゴリズムが変更されないように維持するようにさらに構成され、サービング基地局は、ＵＥと無線エアインターフェース接続を確立する少なくとも１つのセルにサービングする基地局であり、サービング基地局は、少なくとも第１基地局を含む。
【０１９８】
オプションで、処理ユニット６０２は、ソースＰＣｅｌｌ及びターゲットＰＣｅｌｌが同じ基地局に属しているかどうかを判定するようにさらに構成されている。ソースＰＣｅｌｌ及びターゲットＰＣｅｌｌが同じ基地局に属していない場合、処理ユニット６０２は、第１基地局をセカンダリｅＮｏｄｅＢ（Secondary eNB, 略してSeNB）として使用し、第２基地局をマスターｅＮｏｄｅＢ（Master eNB, 略してMeNB）として使用する。対応するプライマリセルグループ（Master Cell Group, 略してMCG）ベアラ及びセカンダリセルグループ（Secondary Cell Group, 略してSCG）ベアラは、代わりに、対応して変更されてもよく、第１基地局に関連するベアラタイプをＭＣＧベアラからSCGベアラに変更し、第２基地局に関連するベアラタイプをSCGベアラからＭＣＧベアラに変更する。
【０１９９】
オプションで、処理ユニット６０２は、ソースＰＣｅｌｌ及びターゲットＰＣｅｌｌが同じ基地局に属しているかどうかを判定し、ソースＰＣｅｌｌ及びターゲットＰＣｅｌｌが同じ基地局に属している場合には、ＵＥのデータベアラのＭＡＣレイヤをリセットすることをスキップし、ＵＥのデータベアラのＲＬＣレイヤを再構成することをスキップし、及びＵＥのデータベアラのＰＤＣＰレイヤを再構成することをスキップするようにさらに構成されている。
【０２００】
オプションで、送受信ユニット６０１は、ＰＣｅｌｌの変更の間及び／又は変更後に、ＰＣｅｌｌの変更の前のターゲットＰＣｅｌｌのタイミングアドバンスＴＡ値の使用を継続することにより、ターゲットＰＣｅｌｌと通信するようにさらに構成されており、ランダムアクセスプロセスを使用することによりＴＡ値を再び取得する必要がない。
【０２０１】
オプションで、処理ユニット６０２は、ＰＣｅｌｌの変更の間及び／又は変更後に、ソースＰＣｅｌｌとターゲットＰＣｅｌｌ以外の別のサービングセルのアクティブ／インアクティブ状態が変更されないように維持するようにさらに構成されている。
【０２０２】
さらに、本発明のこの実施形態におけるＵＥは、図１及び／又は図２の方法の実施形態におけるＵＥにより実行される方法におけるステップ／動作を実施する。ＵＥの各部の機能は、前述の方法の実施形態の方法に従って具体的に実施され得る。機能の特定の実施プロセスについては、前述の方法の実施形態における関連説明を参照されたい。
【０２０３】
図７は、本発明の実施形態による第１基地局の別の可能な装置構造の概略図である。第１基地局は、図１及び／又は図２の実施形態における第１基地局の機能を実装し、したがって、図１及び／又は図２の実施形態において提供される方法により達成可能な有益な効果を達成することもできる。第１基地局は、ＵＥのソースＰＣｅｌｌが属する基地局である。第１基地局は、具体的には、送受信ユニット７０１と、処理ユニット７０２とを含む。
【０２０４】
処理ユニット７０２は、ＰＣｅｌｌの変更を実行することを決定し、ターゲットＰＣｅｌｌを決定するように構成されている。
【０２０５】
送受信ユニット７０１は、ＰＣｅｌｌの変更を示すために使用されるメッセージをＵＥに送信するように構成され、ＰＣｅｌｌの変更を示すために使用されるメッセージは、ターゲットＰＣｅｌｌに関する情報を搬送し、ＰＣｅｌｌの変更は、ターゲットＰＣｅｌｌをＵＥのＰＣｅｌｌに変更するステップと、ソースＰＣｅｌｌをＵＥの、アクティブ状態にあるセカンダリセルＳＣｅｌｌに変更するステップとを含む。
【０２０６】
ＰＣｅｌｌの変更を示すために使用されるとともに送受信ユニット７０１により送信されるメッセージは、ＰＣｅｌｌの変更メッセージ、又はＰＣｅｌｌの変更インジケーションを搬送するＲＲＣ接続再構成メッセージであり得る。
【０２０７】
処理ユニット７０２は、ＵＥからのアップリンクデータを復号し、ＵＥに送信されるダウンリンクデータを暗号化するようにさらに構成されている。オプションで、処理ユニット７０２により使用される鍵及びセキュリティアルゴリズムは、ＰＣｅｌｌの変更の間及びその後に変更されないように維持される。
【０２０８】
オプションで、基地局内ＰＣｅｌｌの変更シナリオにおいて、送受信ユニット７０１は、ＵＥから、ＰＣｅｌｌの変更完了を示すために使用されるメッセージを受信するようにさらに構成されている。ＰＣｅｌｌの変更完了を示すために使用されるメッセージは、ＰＣｅｌｌの変更の完了メッセージなどの新たなメッセージであってよく、又はＵＥのＰＣｅｌｌの変更の動作が完了したことを示すＲＲＣ接続再構成完了メッセージであってもよい。
【０２０９】
オプションで、基地局間ＰＣｅｌｌの変更シナリオにおいて、送受信ユニット７０１は、ＰＣｅｌｌの変更を示すために使用される要求メッセージを第２基地局に送信するようにさらに構成されており、第２基地局は、ターゲットＰＣｅｌｌが属する基地局である。ＰＣｅｌｌの変更を示すために使用される要求メッセージは、ターゲットＰＣｅｌｌに関する情報、例えば、ターゲットＰＣｅｌｌのセル識別子又はインデックスを搬送する。ＰＣｅｌｌの変更を示すために使用される要求メッセージは、ＰＣｅｌｌの変更要求メッセージ、又はＰＣｅｌｌの変更インジケーションを搬送するハンドオーバ要求メッセージであり得、ＰＣｅｌｌの変更が修正を通じて実行されることを示す。
【０２１０】
オプションで、基地局間ＰＣｅｌｌの変更シナリオにおいて、送受信ユニット７０１は、第２基地局により送信されたアクノリッジメッセージを受信するようにさらに構成され、アクノリッジメッセージは、ＰＣｅｌｌの変更を示すために使用されるとともに第１基地局により第２基地局へ送信される要求メッセージをアクノリッジするために使用される。
【０２１１】
オプションで、基地局間ＰＣｅｌｌの変更シナリオにおいて、送受信ユニット７０１は、ＰＣｅｌｌの変更完了を示すために使用されるメッセージ、又はＳＮ状態を要求するために使用されるとともに第２基地局により送信されるメッセージを受信するようにさらに構成されており、ＳＮ状態を要求するために使用されるメッセージは、第１基地局から、アップリンク・パケットデータコンバージェンスプロトコル（ＰＤＣＰ）ＳＮ受信状態及びダウンリンクＰＤＣＰ ＳＮ送信状態を要求するために使用される。
【０２１２】
オプションで、基地局間ＰＣｅｌｌの変更シナリオにおいて、送受信ユニット７０１は、ＳＮ状態遷移メッセージを第２基地局に送信するようにさらに構成され、ＳＮ状態遷移メッセージは、アップリンクＰＤＣＰ ＳＮ受信状態及びダウンリンクＰＤＣＰ ＳＮ送信状態を搬送し、ＳＮ状態遷移メッセージは、送受信ユニット７０１がＰＣｅｌｌの変更完了を示すために使用されるメッセージ又はＳＮ状態を要求するために使用されるメッセージを受信した後に、送受信ユニット７０１により送信される。
【０２１３】
さらに、本発明のこの実施形態における第１基地局は、図１及び／又は図２の方法の実施形態における第１基地局により実行される方法におけるステップ／動作を実施する。第１基地局の各部の機能は、前述の方法の実施形態の方法に従って具体的に実施され得る。機能の特定の実施プロセスについては、前述の方法の実施形態における関連説明を参照されたい。
【０２１４】
図８は、本発明の実施形態による第２基地局の別の可能な装置構造の概略図である。第２基地局は、図１の実施形態における第２基地局の機能を実装し、したがって図１の実施形態において提供される方法により達成可能な有益な効果を達成することもできる。第２基地局は、ＵＥのターゲットＰＣｅｌｌが属する基地局である。
【０２１５】
第２基地局は、具体的には、送受信ユニット８０１を含む。送受信ユニット８０１は、第１基地局により送信されるとともにプライマリセル（ＰＣｅｌｌ）の変更を示すために使用される要求メッセージを受信するように構成されており、第１基地局は、ＵＥのソースＰＣｅｌｌが属する基地局であり、ＰＣｅｌｌの変更を示すために使用される要求メッセージは、ターゲットＰＣｅｌｌに関する情報を搬送し、ＰＣｅｌｌの変更は、ターゲットＰＣｅｌｌをＵＥのＰＣｅｌｌに変更するステップと、ソースＰＣｅｌｌをＵＥの、アクティブ状態にあるセカンダリセルＳＣｅｌｌに変更するステップとを含む。
【０２１６】
送受信ユニット８０１は、アクノリッジメッセージを第１基地局に送信するようにさらに構成され、ＰＣｅｌｌの変更を示すために使用されるとともに第１基地局により第２基地局へ送信される要求メッセージをアクノリッジする。
【０２１７】
さらに、ＰＣｅｌｌの変更を示すために使用されるとともに送受信ユニット８０１により受信される要求メッセージは、ＰＣｅｌｌの変更要求メッセージ、又はＰＣｅｌｌの変更インジケーションを搬送するハンドオーバ要求メッセージであり得、ＰＣｅｌｌの変更が修正を通じて実行されることを示す。
【０２１８】
オプションで、送受信ユニット８０１により第１基地局に送信されたアクノリッジメッセージは、スプリットベアラ（split bearer）の第２ＧＴＰトンネル情報を搬送し得、Ｓ１経路切り換え後に、第１基地局により復号されるとともに送信されるアップリンクデータパケットを第２基地局に伝送する。アップリンクデータパケットは、送受信ユニット８０１により、Ｓ−ＧＷに転送される。
【０２１９】
オプションで、送受信ユニット８０１は、ＰＣｅｌｌの変更完了を示すために使用されるとともに、ＵＥにより送信されるメッセージを受信するようにさらに構成されている。ＰＣｅｌｌの変更完了を示すために使用されるメッセージは、ＰＣｅｌｌの変更の完了メッセージなどの新たなメッセージであってよく、又はＵＥのＰＣｅｌｌの変更の動作が完了したことを示すＲＲＣ接続再構成完了メッセージであってもよい。
【０２２０】
オプションで、送受信ユニット８０１は、ＰＣｅｌｌの変更完了を示すために使用されるメッセージ、又はＳＮ状態を要求するために使用されるメッセージを第１基地局に送信するようにさらに構成される。ＳＮ状態を要求することは、第１基地局からアップリンクＰＤＣＰ ＳＮ受信状態及びダウンリンクＰＤＣＰ ＳＮ送信状態を要求することを含む。ＰＣｅｌｌの変更完了を示すために使用されるメッセージ又はＳＮ状態を要求するために使用されるメッセージは、送受信ユニット８０１がＵＥからＰＣｅｌｌの変更完了を示すために使用されるメッセージを受信した後、送受信ユニット８０１により送信される。
【０２２１】
オプションで、送受信ユニット８０１は、第１基地局からＳＮ状態遷移メッセージを受信するようにさらに構成され、メッセージは、アップリンクＰＤＣＰ ＳＮ受信状態及びダウンリンクＰＤＣＰ ＳＮ送信状態を搬送する。
【０２２２】
第２基地局は、処理ユニット８０２をさらに含み、処理ユニット８０２は、ＵＥからのアップリンクデータを復号し、ＵＥに送信されるダウンリンクデータを暗号化し、ＰＣｅｌｌの変更の間及びその後に、処理ユニット８０２により使用される鍵及びセキュリティアルゴリズムが変更されないように維持するように構成されていることは理解され得る。
【０２２３】
さらに、本発明のこの実施形態の第１基地局は、図１の方法の実施形態における第２基地局により実行される方法のステップ／動作を実施する。第１基地局の各部の機能は、前述の方法の実施形態における方法に従って具体的に実施され得る。機能の特定の実施プロセスについては、前述の方法の実施形態における関連説明を参照されたい。
【０２２４】
本発明の実施形態は、通信システムをさらに提供する。システムは、図３又は図６に示される実施形態において提供されるＵＥ、図４又は図７に示される実施形態において提供される第１基地局、及び図５又は図８に示される実施形態において提供される第２基地局；又は図３又は図６に示される実施形態において提供されるＵＥ及び図４又は図７に示される実施形態において提供される第１基地局；又は図４又は図７に示される実施形態において提供される第１基地局及び図５又は図８に示される実施形態において提供される第２基地局を含む。
【０２２５】
本発明のこの実施形態におけるＵＥを実行するために、第１基地局及び第２基地局の機能のためのプロセッサは、中央処理装置（CPU）、汎用目的プロセッサ、デジタル信号プロセッサ（DSP）、特定用途向け集積回路（ASIC）、フィールドプログラマブルゲートアレイ（FPGA）又は別のプログラマブル論理デバイス、トランジスタ論理デバイス、ハードウェア部品、又はそれらの任意の組み合わせであり得る。本発明の開示された内容を参照して説明された様々な論理機能及びモジュールの例を実装又は実行することができる。
【０２２６】
当業者であれば、上記の例のうちの１つ又は複数において、本発明で説明された機能がハードウェア、ソフトウェア、ファームウェア、又はそれらの組み合わせを使用することにより実施され得ることを認識すべきである。機能がソフトウェアにより実施される場合、これらの機能は、コンピュータ可読媒体に格納されるか、又はコンピュータ可読媒体内の１つ又は複数の命令又はコードとして送信されてもよい。コンピュータ可読媒体は、コンピュータストレージ媒体及び通信媒体を含み、通信媒体は、コンピュータプログラム又は関連情報がある場所から別の場所へ送信されることを可能にする任意の媒体を含む。格納媒体は、汎用又は専用コンピュータにアクセス可能な任意の利用可能な媒体であってよい。
【０２２７】
本発明の目的、技術的解決策、及び有益な効果が、前述の特定の実施形態においてさらに詳細に説明される。前述の説明は本発明の特定の実施形態にすぎず、本発明の保護範囲を限定するものではないことは理解され得る。本発明の技術的解決策に基づいてなされる任意の修正、同等の置換、又は改良は、本発明の保護範囲に入るものとする。
【符号の説明】
【０２２８】
３０１  送受信機
３０２  プロセッサ
４０１  送受信機
４０２  プロセッサ
５０１  送受信機
５０２  プロセッサ
６０１  送受信ユニット
６０２  処理ユニット
７０１  送受信ユニット
７０２  処理ユニット
８０１  送受信ユニット
８０２  処理ユニット
【図１】
2019510445.tif 000003
【図２】
2019510445.tif 000004
【図３】
2019510445.tif 000005
【図４】
2019510445.tif 000006
【図５】
2019510445.tif 000007
【図６】
2019510445.tif 000008
【図７】
2019510445.tif 000009
【図８】
2019510445.tif 000010
【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
モビリティ管理方法であって、前記方法は、
ユーザ装置（ＵＥ）により、プライマリセル（ＰＣｅｌｌ）の変更を示すために使用されるメッセージを、第１基地局から受信するステップであって、前記第１基地局は、前記ＵＥのソースＰＣｅｌｌが属する基地局であり、ＰＣｅｌｌの変更を示すために使用される前記メッセージは、ターゲットＰＣｅｌｌに関する情報を搬送する、ステップと、
ＰＣｅｌｌの変更を示すために使用される前記受信したメッセージに基づいてＰＣｅｌｌの変更を前記ＵＥにより実行するステップであって、前記ＰＣｅｌｌの変更は、前記ターゲットＰＣｅｌｌを前記ＵＥのＰＣｅｌｌに変更することと、前記ソースＰＣｅｌｌを前記ＵＥの、アクティブ状態にあるセカンダリセル（ＳＣｅｌｌ）に変更することとを具備し、前記ＰＣｅｌｌの変更の間、前記ＵＥは、前記ソースＰＣｅｌｌ及び前記ターゲットＰＣｅｌｌとのデータ伝送を継続する、ステップと、
ＰＣｅｌｌの変更完了を示すために使用されるメッセージを、前記ＵＥにより、前記第１基地局又は第２基地局に送信するステップであって、前記第２基地局は、前記ターゲットＰＣｅｌｌが属する基地局である、ステップと、
ことを特徴とするモビリティ管理方法。
【請求項２】
前記ＰＣｅｌｌの変更は、
前記ＵＥにより、前記ターゲットＰＣｅｌｌは、前記ＵＥのサービングセルではないことを決定するステップと、
前記ＵＥにより、前記ターゲットＰＣｅｌｌを、前記ＵＥの前記ＳＣｅｌｌとして追加するステップと、
前記ＵＥにより、前記ＰＣｅｌｌの変更を実行するステップであって、前記ＰＣｅｌｌの変更は、前記ターゲットＰＣｅｌｌを前記ＵＥの前記ＰＣｅｌｌに変更するステップと、前記ソースＰＣｅｌｌを、前記ＵＥの、前記アクティブ状態にある前記ＳＣｅｌｌに変更するステップと、を具備する、ステップと、
をさらに具備することを特徴とする請求項１に記載のモビリティ管理方法。
【請求項３】
前記ＰＣｅｌｌの変更は、前記ＵＥのデータベアラのメディアアクセス制御（ＭＡＣ）レイヤをリセットすることをスキップするステップ、前記ＵＥの前記データベアラの無線リンク制御（ＲＬＣ）レイヤを再構成することをスキップするステップ、及び前記ＵＥの前記データベアラのパケットデータコンバージェンスプロトコル（ＰＤＣＰ）レイヤを再構成することをスキップするステップをさらに具備することを特徴とする請求項１又は２に記載のモビリティ管理方法。
【請求項４】
前記ＰＣｅｌｌの変更は、前記ＰＣｅｌｌの変更の間及びその後に、前記ＵＥが各サービング基地局と通信するために使用される鍵及びセキュリティアルゴリズムが変更されないように維持するステップをさらに具備し、
前記サービング基地局は、前記ＵＥと無線エアインターフェース接続を確立する少なくとも１つのセルにサービングする基地局であることを特徴とする請求項１から３のいずれか一項に記載のモビリティ管理方法。
【請求項５】
前記ＰＣｅｌｌの変更は、
前記ソースＰＣｅｌｌと前記ターゲットＰＣｅｌｌが同じ基地局に属していないことを前記ＵＥが決定するステップと、
前記ＵＥにより、前記第１基地局をセカンダリｅＮｏｄｅＢ（ＳｅＮＢ）として使用するステップ、及び前記第２基地局をマスターｅＮｏｄｅＢ（ＭｅＮＢ）として使用するステップと、
をさらに具備することを特徴とする請求項１から４のいずれか一項に記載のモビリティ管理方法。
【請求項６】
前記ＰＣｅｌｌの変更は、前記ソースＰＣｅｌｌ及び前記ターゲットＰＣｅｌｌが同じ基地局に属していることを前記ＵＥが決定するステップと、
前記ＵＥのシグナリングベアラのＭＡＣレイヤをリセットすることをスキップするステップ、前記ＵＥの前記シグナリングベアラのＲＬＣレイヤを再構成することをスキップするステップ、及び前記ＵＥの前記シグナリングベアラのＰＤＣＰレイヤを再構成することをスキップするステップと、
をさらに具備することを特徴とする請求項１から４のいずれか一項に記載のモビリティ管理方法。
【請求項７】
前記ＰＣｅｌｌの変更は、前記ＰＣｅｌｌの変更の前に、前記ターゲットＰＣｅｌｌのタイミングアドバンス（ＴＡ）値の使用を続けることにより、前記ＰＣｅｌｌの変更の間及び／又は変更後に、前記ＵＥにより、前記ターゲットＰＣｅｌｌと通信するステップをさらに具備することを特徴とする請求項１から６のいずれか一項に記載のモビリティ管理方法。
【請求項８】
前記ＰＣｅｌｌの変更は、前記ＰＣｅｌｌの変更の間及び／又は変更後に、前記ソースＰＣｅｌｌと前記ターゲットＰＣｅｌｌ以外の別のサービングセルのアクティブ／インアクティブ状態が変更されないように維持するステップをさらに具備することを特徴とする請求項１から７のいずれか一項に記載のモビリティ管理方法。
【請求項９】
モビリティ管理方法であって、前記方法は、
第１基地局により、ユーザ装置（ＵＥ）のプライマリセル（ＰＣｅｌｌ）の変更を実行することを決定し、ターゲットＰＣｅｌｌを決定するステップであって、前記第１基地局は、前記ＵＥのソースＰＣｅｌｌが属する基地局である、ステップと、
前記第１基地局により、ＰＣｅｌｌの変更を示すために使用されるメッセージを前記ＵＥに送信するステップであって、ＰＣｅｌｌの変更を示すために使用される前記メッセージは、ターゲットＰＣｅｌｌに関する情報を搬送し、前記ＰＣｅｌｌの変更は、前記ターゲットＰＣｅｌｌを前記ＵＥのＰＣｅｌｌに変更するステップと、前記ソースＰＣｅｌｌを前記ＵＥの、アクティブ状態にあるセカンダリセルＳＣｅｌｌに変更するステップと、を具備する、ステップと、
ことを特徴とするモビリティ管理方法。
【請求項１０】
前記ＰＣｅｌｌの変更は、前記ＰＣｅｌｌの変更の間及びその後に、前記第１基地局により使用される鍵及びセキュリティアルゴリズムが変更されないように維持するステップをさらに具備することを特徴とする請求項９に記載のモビリティ管理方法。
【請求項１１】
前記ＰＣｅｌｌの変更は、
前記第１基地局により、ＰＣｅｌｌの変更を示すために使用される要求メッセージを第２基地局に送信するステップであって、前記第２基地局は、前記ＵＥの前記ターゲットＰＣｅｌｌが属する基地局であり、前記ＰＣｅｌｌの変更を示すために使用される要求メッセージは、前記ターゲットＰＣｅｌｌに関する前記情報を搬送する、ステップと、
前記第２基地局からアクノリッジメッセージを、前記第１基地局により受信するステップであって、前記アクノリッジメッセージは、ＰＣｅｌｌの変更を示すために使用される前記要求メッセージをアクノリッジするために使用される、ステップと、
前記第１基地局により、ＰＣｅｌｌの変更完了を示すために使用されるメッセージ、又はシーケンス番号（ＳＮ）状態を要求するために使用されるとともに前記第２基地局からのメッセージを受信するステップであって、ＳＮ状態を要求するために使用される前記メッセージは、前記第１基地局から、アップリンク・パケットデータコンバージェンスプロトコル（ＰＤＣＰ）ＳＮ受信状態及びダウンリンクＰＤＣＰ ＳＮ送信状態を要求するために使用される、ステップと、
ＰＣｅｌｌの変更の完了を示すために使用される前記メッセージ又はＳＮ状態を要求するために使用される前記メッセージを受信した後に、前記第１基地局によりＳＮ状態遷移メッセージを前記第２基地局に送信するステップであって、前記ＳＮ状態遷移メッセージは、前記アップリンクＰＤＣＰ ＳＮ受信状態及び前記ダウンリンクＰＤＣＰ ＳＮ送信状態を搬送する、ステップと、
をさらに具備することを特徴とする請求項９又は１０に記載のモビリティ管理方法。
【請求項１２】
前記ＰＣｅｌｌの変更は、ＰＣｅｌｌの変更完了を示すために使用されるメッセージを前記ＵＥから前記第１基地局により受信するステップをさらに具備することを特徴とする請求項９から１１のいずれか一項に記載のモビリティ管理方法。
【請求項１３】
モビリティ管理方法であって、前記方法は、
プライマリセル（ＰＣｅｌｌ）の変更を示すために使用される第１基地局からの要求メッセージを、第２基地局により受信するステップであって、前記第１基地局は、ユーザ装置（ＵＥ）のソースＰＣｅｌｌが属する基地局であり、前記第２基地局は、前記ＵＥのターゲットＰＣｅｌｌが属する基地局であり、前記ＰＣｅｌｌの変更を示すために使用される要求メッセージは、前記ターゲットＰＣｅｌｌに関する情報を搬送し、前記ＰＣｅｌｌの変更は、前記ターゲットＰＣｅｌｌを前記ＵＥのＰＣｅｌｌに変更するステップと、前記ソースＰＣｅｌｌを前記ＵＥの、アクティブ状態にあるセカンダリセルＳＣｅｌｌに変更するステップと、を具備する、ステップと、
アクノリッジメッセージを前記第１基地局に、前記第２基地局により、送信するステップであって、前記アクノリッジメッセージは、ＰＣｅｌｌの変更を示すために使用されるとともに前記第１基地局から前記第２基地局への前記要求メッセージをアクノリッジするために使用される、ステップと、
を具備することを特徴とするモビリティ管理方法。
【請求項１４】
前記方法は、
ＰＣｅｌｌの変更完了を示すために使用される前記ＵＥからのメッセージを、前記第２基地局により受信するステップと、
ＰＣｅｌｌの変更完了を示すために使用される前記メッセージ、又はシーケンス番号（ＳＮ）状態を要求するために使用されるメッセージを、前記第２基地局により、前記第１基地局に送信するステップであって、ＳＮ状態を要求するために使用される前記メッセージは、前記第１基地局から、アップリンク・パケットデータコンバージェンスプロトコル（ＰＤＣＰ）ＳＮ受信状態及びダウンリンクＰＤＣＰ ＳＮ送信状態を要求するために使用され、前記第２基地局が前記ＵＥからＰＣｅｌｌの変更完了を示すために使用される前記メッセージを受信した後に、前記第２基地局により、ＰＣｅｌｌの変更完了を示すために使用される前記メッセージ又はＳＮ状態を要求するために使用される前記メッセージが送信される、ステップと、
前記第２基地局により、前記第１基地局からＳＮ状態遷移メッセージを受信するステップであって、前記ＳＮ状態遷移メッセージは、前記アップリンクＰＤＣＰ ＳＮ受信状態及び前記ダウンリンクＰＤＣＰ ＳＮ送信状態を搬送する、ステップと、
をさらに具備することを特徴とする請求項１３に記載のモビリティ管理方法。
【請求項１５】
前記ＰＣｅｌｌの変更は、前記ＰＣｅｌｌの変更の間及びその後に、前記第２基地局により使用される鍵及びセキュリティアルゴリズムが変更されないように維持することをさらに具備することを特徴とする請求項１３又は１４に記載のモビリティ管理方法。
【請求項１６】
前記アクノリッジメッセージは、Ｓ１経路切り換え後に、前記第１基地局により復号されるとともに前記第１基地局により送信されるアップリンクデータパケットを前記第２基地局に送信するために使用されるスプリットベアラのトンネル情報を搬送し、前記アップリンクデータパケットは、前記第２基地局によりサービングゲートウェイＳ−ＧＷに転送されることを特徴とする請求項１３から１５のいずれか一項に記載のモビリティ管理方法。
【請求項１７】
ユーザ装置（ＵＥ）であって、前記ＵＥは、
第１基地局から、プライマリセル（ＰＣｅｌｌ）の変更を示すために使用されるメッセージを受信するように構成された送受信機であって、前記第１基地局は、前記ＵＥのソースＰＣｅｌｌが属する基地局であり、ＰＣｅｌｌの変更を示すために使用される前記メッセージは、ターゲットＰＣｅｌｌに関する情報を搬送する、送受信機と、
ＰＣｅｌｌの変更を示すために使用される前記受信したメッセージに基づいて、ＰＣｅｌｌの変更を実行するように構成されているプロセッサであって、前記ＰＣｅｌｌの変更は、前記ターゲットＰＣｅｌｌを前記ＵＥのＰＣｅｌｌに変更するステップと、前記ソースＰＣｅｌｌを前記ＵＥの、アクティブ状態にあるセカンダリセル（ＳＣｅｌｌ）に変更するステップと、を具備する、プロセッサと、
を具備し、
前記送受信機は、ＰＣｅｌｌの変更完了を示すために使用されるメッセージを、前記第１基地局又は第２基地局に送信するようにさらに構成されており、前記第２基地局は、前記ターゲットＰＣｅｌｌが属する基地局であることを特徴とするユーザ装置ＵＥ。
【請求項１８】
前記プロセッサは、前記ＵＥのデータベアラのメディアアクセス制御（ＭＡＣ）レイヤをリセットすることをスキップし、前記ＵＥの前記データベアラの無線リンク制御（ＲＬＣ）レイヤを再構成することをスキップし、前記ＵＥの前記データベアラのパケットデータコンバージェンスプロトコル（ＰＤＣＰ）レイヤを再構成することをスキップするようにさらに構成されていることを特徴とする請求項１７に記載のユーザ装置ＵＥ。
【請求項１９】
前記プロセッサは、前記ＰＣｅｌｌの変更の間及びその後に、各サービング基地局と通信するために使用される鍵及びセキュリティアルゴリズムが変更されないように維持するようにさらに構成され、前記サービング基地局は、前記ＵＥと無線エアインターフェース接続を確立する少なくとも１つのセルにサービングする基地局であることを特徴とする請求項１７又は１８に記載のユーザ装置ＵＥ。
【請求項２０】
前記プロセッサは、
前記ソースＰＣｅｌｌと前記ターゲットＰＣｅｌｌが同じ基地局に属していないことを決定し、
前記第１基地局をセカンダリｅＮｏｄｅＢ（ＳｅＮＢ）として使用し、前記第２基地局をマスターｅＮｏｄｅＢ（ＭｅＮＢ）として使用する
ようにさらに構成されていることを特徴とする請求項１７から１９のいずれか一項に記載のユーザ装置ＵＥ。
【請求項２１】
前記プロセッサは、
前記ソースＰＣｅｌｌと前記ターゲットＰＣｅｌｌが同じ基地局に属していることを決定し、
前記ＵＥのシグナリングベアラのＭＡＣレイヤをリセットすることをスキップし、前記ＵＥの前記シグナリングベアラのＲＬＣレイヤを再構成することをスキップし、前記ＵＥの前記シグナリングベアラのＰＤＣＰレイヤを再構成することをスキップ
するようにさらに構成されていることを特徴とする請求項１７から１９のいずれか一項に記載のユーザ装置ＵＥ。
【請求項２２】
前記送受信機は、前記ＰＣｅｌｌの変更の間及び／又は変更後に、前記ＰＣｅｌｌの変更の前の前記ターゲットＰＣｅｌｌのタイミングアドバンスＴＡ値の使用を継続することにより、前記ターゲットＰＣｅｌｌと通信するようにさらに構成されていることを特徴とする請求項１７から２１のいずれか一項に記載のユーザ装置ＵＥ。
【請求項２３】
前記プロセッサは、前記ＰＣｅｌｌの変更の間及び／又は変更後に、前記ソースＰＣｅｌｌと前記ターゲットＰＣｅｌｌ以外の別のサービングセルのアクティブ／インアクティブ状態が変更されないように維持するようにさらに構成されていることを特徴とする請求項１７から２２のいずれか一項に記載のユーザ装置ＵＥ。
【請求項２４】
前記プロセッサは、
前記ターゲットＰＣｅｌｌが前記ＵＥのサービングセルではないことを決定することと、
前記ターゲットＰＣｅｌｌを前記ＵＥの前記ＳＣｅｌｌとして追加することと、
前記ＰＣｅｌｌの変更を実行することであって、前記ＰＣｅｌｌの変更は、前記ターゲットＰＣｅｌｌを前記ＵＥの前記ＰＣｅｌｌに変更するステップと、前記ソースＰＣｅｌｌを、前記ＵＥの、前記アクティブ状態にある前記ＳＣｅｌｌに変更するステップと、を具備する、実行することと、
を行うようにさらに構成されていることを特徴とする請求項１７から２３のいずれか一項に記載のユーザ装置ＵＥ。
【請求項２５】
第１基地局であって、前記第１基地局は、ユーザ装置（ＵＥ）のソースプライマリセル（ＰＣｅｌｌ）が属する基地局であり、前記第１基地局は、
前記ＵＥのＰＣｅｌｌの変更の実行を決定し、ターゲットＰＣｅｌｌを決定するようにさらに構成されたプロセッサと、
ＰＣｅｌｌの変更を示すために使用されるメッセージを前記ＵＥに送信するように構成された送受信機であって、ＰＣｅｌｌの変更を示すために使用される前記メッセージは、ターゲットＰＣｅｌｌに関する情報を搬送し、前記ＰＣｅｌｌの変更は、前記ターゲットＰＣｅｌｌを前記ＵＥのＰＣｅｌｌに変更するステップと、前記ソースＰＣｅｌｌを前記ＵＥの、アクティブ状態にあるセカンダリセル（ＳＣｅｌｌ）に変更するステップと、を具備する、送受信機と、
を具備することを特徴とする第１基地局。
【請求項２６】
前記プロセッサは、前記ＵＥからのアップリンクデータを復号し、前記ＵＥに送信されるダウンリンクデータを暗号化し、前記ＰＣｅｌｌの変更の間及びその後に、前記プロセッサにより使用される鍵及びセキュリティアルゴリズムが変更されないように維持するようにさらに構成されていることを特徴とする請求項２５に記載の第１基地局。
【請求項２７】
前記送受信機は、
ＰＣｅｌｌの変更を示すために使用される要求メッセージを第２基地局に送信することであって、前記第２基地局は、前記ＵＥの前記ターゲットＰＣｅｌｌが属する基地局であり、前記ＰＣｅｌｌの変更を示すために使用される要求メッセージは、前記ターゲットＰＣｅｌｌに関する前記情報を搬送する、送信することと、
前記第２基地局からのアクノリッジメッセージを受信することであって、前記アクノリッジメッセージは、ＰＣｅｌｌの変更を示すために使用される前記要求メッセージをアクノリッジするために使用される、受信することと、
ＰＣｅｌｌの変更完了を示すために使用されるメッセージ、又はシーケンス番号（ＳＮ）状態を要求するために使用される前記第２基地局からのメッセージを受信することであって、ＳＮ状態を要求するために使用される前記メッセージは、前記第１基地局から、アップリンク・パケットデータコンバージェンスプロトコル（ＰＤＣＰ）ＳＮ受信状態及びダウンリンクＰＤＣＰ ＳＮ送信状態を要求するために使用される、受信することと、
ＰＣｅｌｌの変更の完了を示すために使用される前記メッセージ、又はＳＮ状態を要求するために使用される前記メッセージを受信した後に、ＳＮ状態遷移メッセージを前記第２基地局に送信することであって、前記ＳＮ状態遷移メッセージは、前記アップリンクＰＤＣＰ ＳＮ受信状態及び前記ダウンリンクＰＤＣＰ ＳＮ送信状態を搬送する、送信することと、
を行うようにさらに構成されていることを特徴とする請求項２５又は２６に記載の第１基地局。
【請求項２８】
前記送受信機は、前記ＵＥから、ＰＣｅｌｌの変更完了を示すために使用されるメッセージを受信するようにさらに構成されていることを特徴とする請求項２５から２７のいずれか一項に記載の第１基地局。
【請求項２９】
第２基地局であって、前記第２基地局は、ユーザ装置ＵＥのターゲットプライマリセル（ＰＣｅｌｌ）が属する基地局であり、前記第２基地局は、
第１基地局からの、ＰＣｅｌｌの変更を示すために使用される要求メッセージを受信するように構成された送受信機であって、前記第１基地局は、ＵＥのソースＰＣｅｌｌが属する基地局であり、前記ＰＣｅｌｌの変更を示すために使用される要求メッセージは、前記ターゲットＰＣｅｌｌに関する情報を搬送し、前記ＰＣｅｌｌの変更は、前記ターゲットＰＣｅｌｌを前記ＵＥのＰＣｅｌｌに変更するステップと、前記ソースＰＣｅｌｌを、前記ＵＥの、アクティブ状態にあるセカンダリセルＳＣｅｌｌに変更するステップと、を具備する、送受信機
を具備し、
前記送受信機は、アクノリッジメッセージを前記第１基地局に送信するようにさらに構成されており、前記アクノリッジメッセージは、ＰＣｅｌｌの変更を示すために使用されるとともに前記第１基地局から前記第２基地局への前記要求メッセージをアクノリッジするために使用されることを特徴とする第２基地局。
【請求項３０】
前記送受信機は、
ＰＣｅｌｌの変更完了を示すために使用され、前記ＵＥからのメッセージを受信することと、
ＰＣｅｌｌの変更完了を示すために使用される前記メッセージ、又はシーケンス番号（ＳＮ）状態を要求するために使用されるメッセージを、前記第１基地局に送信することと、ここで、ＳＮ状態を要求するために使用される前記メッセージは、前記第１基地局から、アップリンク・パケットデータコンバージェンスプロトコル（ＰＤＣＰ）ＳＮ受信状態及びダウンリンクＰＤＣＰ ＳＮ送信状態を要求するために使用され、ＰＣｅｌｌの変更完了を示すために使用される前記メッセージ又はＳＮ状態を要求するために使用される前記メッセージは、前記第２基地局の前記送受信機が、前記ＵＥから、ＰＣｅｌｌの変更完了を示すために使用される前記メッセージを受信した後に、前記第２基地局の前記送受信機により送信され、
前記第１基地局からＳＮ状態遷移メッセージを受信することと、ここで、前記メッセージは、前記アップリンクＰＤＣＰ ＳＮ受信状態及び前記ダウンリンクＰＤＣＰ ＳＮ送信状態を搬送する
を行うようにさらに構成されていることを特徴とする請求項２９に記載の第２基地局。
【請求項３１】
前記第２基地局は、
前記ＵＥからのアップリンクデータを復号し、前記ＵＥに送信されるダウンリンクデータを暗号化し、前記ＰＣｅｌｌの変更の間及びその後に、プロセッサにより使用される鍵及びセキュリティアルゴリズムが変更されないように維持する
ように構成されているプロセッサをさらに具備することを特徴とする請求項２９又は３０に記載の第２基地局。
【請求項３２】
前記送受信機により送信された前記アクノリッジメッセージは、スプリットベアラのトンネル情報を搬送し、Ｓ１経路切り換え後に、復号されて前記第１基地局により送信されたアップリンクデータパケットを前記第２基地局に送信し、前記アップリンクデータパケットは、前記第２基地局によりサービングゲートウェイＳ−ＧＷに転送されることを特徴とする請求項２９から３１のいずれか一項に記載の第２基地局。
【請求項３３】
通信システムであって、
請求項１７から２４のいずれか一項によるユーザ装置及び請求項２５から２８のいずれか一項による第１基地局、又は
請求項１７から２４のいずれか一項によるユーザ装置、請求項２５から２８のいずれか一項による第１基地局、及び請求項２９から３２のいずれか一項による第２基地局、又は
請求項２５から２８のいずれか一項による第１基地局及び請求項２９から３２のいずれか一項による第２基地局
を具備することを特徴とする通信システム。
【請求項３４】
コンピュータ実行可能な命令を格納するコンピュータ可読媒体であって、前記命令は、
第１基地局から、プライマリセル（ＰＣｅｌｌ）の変更を示すために使用されるメッセージを受信するための命令であって、前記第１基地局は、ユーザ装置（ＵＥ）のソースＰＣｅｌｌが属する基地局であり、ＰＣｅｌｌの変更を示すために使用される前記メッセージは、ターゲットＰＣｅｌｌに関する情報を搬送する、命令と、
ＰＣｅｌｌの変更を示すために使用される前記受信したメッセージに基づいてＰＣｅｌｌの変更を実行するための命令であって、前記ＰＣｅｌｌの変更は、前記ターゲットＰＣｅｌｌを前記ＵＥのＰＣｅｌｌに変更するステップ及び前記ソースＰＣｅｌｌを前記ＵＥの、アクティブ状態にあるセカンダリセル（ＳＣｅｌｌ）に変更するステップを具備し、前記ＰＣｅｌｌの変更の間、前記ＵＥは、前記ソースＰＣｅｌｌ及び前記ターゲットＰＣｅｌｌとのデータ伝送を継続する、命令と、
ＰＣｅｌｌの変更完了を示すために使用されるメッセージを、前記第１基地局又は第２基地局に送信するための命令であって、前記第２基地局は、前記ターゲットＰＣｅｌｌが属する基地局である、命令と、
を具備することを特徴とするコンピュータ実行可能な命令を格納するコンピュータ可読媒体。
【請求項３５】
コンピュータ実行可能な命令を格納するコンピュータ可読媒体であって、前記命令は、
ユーザ装置（ＵＥ）のプライマリセル（ＰＣｅｌｌ）の変更を実行することを決定し、ターゲットＰＣｅｌｌを決定するための命令と、
ＰＣｅｌｌの変更を示すために使用されるメッセージを前記ＵＥに送信するための命令であって、ＰＣｅｌｌの変更を示すために使用される前記メッセージは、ターゲットＰＣｅｌｌに関する情報を搬送し、前記ＰＣｅｌｌの変更は、前記ターゲットＰＣｅｌｌを前記ＵＥのＰＣｅｌｌに変更するステップ及び前記ソースＰＣｅｌｌを前記ＵＥの、アクティブ状態にあるセカンダリセル（ＳＣｅｌｌ）に変更するステップを具備する、命令と、
を具備することを特徴とするコンピュータ実行可能な命令を格納するコンピュータ可読媒体。
【請求項３６】
コンピュータ実行可能な命令を格納するコンピュータ可読媒体であって、前記命令は、
プライマリセル（ＰＣｅｌｌ）の変更を示すために使用される、第１基地局からの要求メッセージを受信するための命令であって、前記第１基地局は、ユーザ装置（ＵＥ）のソースＰＣｅｌｌが属する基地局であり、前記ＰＣｅｌｌの変更を示すために使用される要求メッセージは、前記ターゲットＰＣｅｌｌに関する情報を搬送し、前記ＰＣｅｌｌの変更は、前記ターゲットＰＣｅｌｌを前記ＵＥのＰＣｅｌｌに変更するステップ及び前記ソースＰＣｅｌｌを前記ＵＥの、アクティブ状態にあるセカンダリセル（ＳＣｅｌｌ）に変更するステップとを具備する、命令と、
アクノリッジメッセージを前記第１基地局に送信するための命令であって、前記アクノリッジメッセージは、ＰＣｅｌｌの変更を示すために使用される前記要求メッセージをアクノリッジするために使用される、命令と、
を具備することを特徴とするコンピュータ実行可能な命令を格納するコンピュータ可読媒体。
【手続補正２】
【補正対象書類名】明細書
【補正対象項目名】０００５
【補正方法】変更
【補正の内容】
【０００５】
移動通信システムの開発に伴い、システムにより提供され得るサービス品質が高まっていく。第３世代パートナーシッププロジェクト（the 3rd Generation Partnership Project, 略して3GPP）の長期的な競争力を維持し、システムのスペクトル効率とユーザスループット率をさらに高めるために、ＬＴＥアドバンスト（LTE-Advanced, 略してLTE-A）規格が策定されている。キャリアアグリゲーション（Carrier Aggregation, 略してCA）がLTE-A規格に新技術として導入された。キャリアアグリゲーションとは、ＵＥが複数のセル（キャリア）を同時に使用してアップリンク及びダウンリンク通信を実行でき、これにより高速データ伝送をサポートすることを意味する。複数のセルの内、１つはプライマリセル（Primary Cell, 略してPCell）であり、残りは、セカンダリセル（Secondary Cell, 略してSCell）である。
【国際調査報告】
2019510445.tif 000011
2019510445.tif 000012
2019510445.tif 000013
2019510445.tif 000014